(57)【特許請求の範囲】
【請求項１】
５ｍｍ以下の粒度の野菜屑粉砕乾燥物及び前記野菜屑粉砕乾燥物より少ない量の吸水性樹脂を含有して、１ミリメートル以上の粒度を有する乾燥造粒物であることを特徴とする粒状の排泄物処理材。
【請求項２】
５ｍｍ以下の粒度の野菜屑粉砕乾燥物、５ｍｍ以下の粒度の廃棄物配合材料粉砕物及び前記野菜屑粉砕乾燥物より少ない量の吸水性樹脂を含有して、１ミリメートル以上の粒度を有する乾燥造粒物であることを特徴とする粒状の排泄物処理材。
【請求項３】
５ｍｍ以下の粒度の野菜屑粉砕乾燥物、前記野菜屑粉砕乾燥物より少ない量の吸水性樹脂及び前記吸水性樹脂より少量の添加物質を含有して、１ミリメートル以上の粒度を有する乾燥造粒物であることを特徴とする粒状の排泄物処理材。
【請求項４】
５ｍｍ以下の粒度の野菜屑粉砕乾燥物、５ｍｍ以下の粒度の廃棄物配合材料粉砕物、前記野菜屑粉砕乾燥物より少ない量の吸水性樹脂及び前記吸水性樹脂より少量の添加物質を含有して、１ミリメートル以上の粒度を有する乾燥造粒物であることを特徴とする粒状の排泄物処理材。
【請求項５】
乾燥造粒物が、さらに、界面活性剤を含有するものであることを特徴とする請求項１乃至４の何れか一項に記載の粒状の排泄物処理材。
【請求項６】
乾燥造粒物が、５ｍｍ以下の粒度の野菜屑粉砕乾燥物を５０重量％以上の量で含有するものであることを特徴とする請求項１乃至５の何れか一項に記載の粒状の排泄物処理材。
【請求項７】
乾燥造粒物が、５ｍｍ以下の粒度の野菜屑粉砕乾燥物を３０重量％以上の量で含有するものであることを特徴とする請求項１乃至５の何れか一項に記載の粒状の排泄物処理材。
【請求項８】
乾燥造粒物が、５ｍｍ以下の粒度の野菜屑粉砕乾燥物を１０重量％以上の量で含有するものであることを特徴とする請求項１乃至５の何れか一項に記載の粒状の排泄物処理材。
【請求項９】
乾燥造粒物が、野菜屑粉砕乾燥物として、葉菜屑、茎菜屑、根菜屑、果菜屑、花菜屑、香辛野菜屑、きのこ屑、山菜屑若しくは野草屑又はこれら二以上を含むことを特徴とする請求項１乃至８の何れか一項に記載の粒状の排泄物処理材。
【請求項１０】
乾燥造粒物の水分含有率が１５重量％以下であることを特徴とする請求項１乃至９の何れか一項に記載の粒状の排泄物処理材。
【請求項１１】
乾燥造粒物の水分含有率が１０重量％以下であることを特徴とする請求項１乃至９の何れか一項に記載の粒状の排泄物処理材。
【請求項１２】
乾燥造粒物の水分含有率が５重量％以下であることを特徴とする請求項１乃至９の何れか一項に記載の粒状の排泄物処理材。
【請求項１３】
廃棄物配合材料粉砕物が、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、木材屑、鉋屑、不織布屑、プラスチックフィルム廃材、プラスチックシート廃材、プラスチック材料製不織布廃材若しくは紙おむつ廃材粉砕物から分離されたプラスチック材料に富む分離産物、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉又はこれら二以上を含む混合物であることを特徴とする請求項２又は４に記載の粒状の排泄物処理材。
【請求項１４】
乾燥造粒物の廃棄物配合材料粉砕物含有率が、５０重量パーセント以下であることを特徴とする請求項２又は４に記載の粒状の排泄物処理材。
【請求項１５】
乾燥造粒物の廃棄物配合材料粉砕物含有率が、３０重量パーセント以下であることを特徴とする請求項２又は４に記載の粒状の排泄物処理材。
【請求項１６】
添加物質が、脱臭作用を有する物質、殺菌作用を有する物質、接着作用を有する物質若しくは着色物質又はこれらの二以上の物質であることを特徴とする請求項３又は４に記載の粒状の排泄物処理材。
【請求項１７】
乾燥造粒物中の添加物質の含有率は、合計で２０重量％以下であることを特徴とする請求項３又は４に記載の粒状の排泄物処理材。
【請求項１８】
殺菌作用を有する物質が、殺菌剤若しくは防黴剤又は殺菌剤及び防腐剤であることを特徴とする請求項１６に記載の粒状の排泄物処理材。
【請求項１９】
請求項１乃至１８の何れか一項に記載の粒状の排泄物処理材が、芯部と、この芯部の表面の少なくともその一部を覆い、被覆物質及び吸水性樹脂を含有する被覆材料により形成されている被覆部とを有する被覆粒状物であることを特徴とする粒状の排泄物処理材。
【請求項２０】
被覆部が、被覆物質、吸水性樹脂及び添加物質の混合物により形成されていることを特徴とする請求項１９に記載の粒状の排泄物処理材の製造方法。
【請求項２１】
被覆部の添加物質の含有率が１０重量％以下であることを特徴とする請求項１９又は２０に記載の粒状の排泄物処理材。
【請求項２２】
添加物質が、脱臭作用を有する物質、殺菌作用を有する物質、接着作用を有する物質若しくは着色物質又はこれらの二以上の物質であることを特徴とする請求項２０又は２１に記載の粒状の排泄物処理材。
【請求項２３】
殺菌作用を有する物質が、殺菌剤若しくは防黴剤又は殺菌剤及び防腐剤であることを特徴とする請求項２１に記載の粒状の排泄物処理材。
【請求項２４】
被覆部が、被覆物質を５０重量％以上含有して形成されていることを特徴とする請求項１９又は２０に記載の粒状の排泄物処理材。
【請求項２５】
被覆物質が、トイレットペーパー廃材、ティッシュペーパー廃材、化粧紙廃材、ちり紙廃材、紙綿廃材、紙タオル廃材、便座シート廃材若しくはバフ粉、又はダンボール屑、木材屑、鉋屑、木粉、家屋の解体材、新築廃材、不織布屑、製紙用パルプ廃材、機械パルプ廃材、化学パルプ廃材、セミケミカルパルプ廃材、綿状パルプ廃材、木材パルプ廃材、古紙パルプ廃材、紙粉、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、ベントナイト若しくは製紙用パルプ、又はこれら２種以上の混合物であり、０．５ｍｍ以下の粒度を有するものであることを特徴とする請求項１９、２０又は２４に記載の粒状の排泄物処理材。
【請求項２６】
５ｍｍ以下の粒度に粉砕された野菜屑粉砕物に、該野菜屑粉砕物より少ない量の吸水性樹脂を混合し、この混合物を造粒して、１ミリメートル以上の粒度の造粒物を形成し、この造粒物を乾燥して乾燥造粒物とすることを特徴とする粒状の排泄物処理材の製造方法。
【請求項２７】
５ｍｍ以下の粒度に粉砕された野菜屑粉砕物に、該野菜屑粉砕物より少ない量の吸水性樹脂及び添加物質を混合し、この混合物を造粒して、１ミリメートル以上の粒度の造粒物を形成し、この造粒物を乾燥して乾燥造粒物とすることを特徴とする粒状の排泄物処理材の製造方法。
【請求項２８】
５ｍｍ以下の粒度に粉砕された野菜屑粉砕物に、５ｍｍ以下の粒度に粉砕された廃棄物配合材料粉砕物及び前記野菜屑粉砕物より少ない量の吸水性樹脂を混合し、この混合物を造粒して、１ミリメートル以上の粒度の造粒物を形成し、この形成された造粒物を乾燥して乾燥造粒物とすることを特徴とする粒状の排泄物処理材の製造方法。
【請求項２９】
５ｍｍ以下の粒度に粉砕された野菜屑粉砕物に、５ｍｍ以下の粒度の廃棄物配合材料粉砕物、前記野菜屑粉砕物より少ない量の吸水性樹脂及び添加物質を混合し、この混合物を造粒して、１ミリメートル以上の粒度の造粒物を形成し、この形成された造粒物を乾燥して乾燥造粒物とすることを特徴とする粒状の排泄物処理材の製造方法。
【請求項３０】
乾燥造粒物が、界面活性剤溶液が添加された混合物を造粒して、１ミリメートル以上の粒度の造粒物を形成し、この形成された造粒物を乾燥して製造されることを特徴とする請求項２６乃至２９の何れか一項に記載の粒状の排泄物処理材の製造方法。
【請求項３１】
５ｍｍ以下の粒度に粉砕された野菜屑粉砕物が、野菜屑を、５ｍｍ以下の粒度に湿式で粉砕して製造されたものであることを特徴とする請求項２６乃至２９の何れか一項に記載の粒状の排泄物処理材の製造方法。
【請求項３２】
５ｍｍ以下の粒度に粉砕された野菜屑粉砕物が、野菜屑を乾燥し、この野菜屑乾燥物を５ｍｍ以下の粒度に乾式で粉砕することにより、製
造されたものであることを特徴とする請求項２６乃至２９の何れか一項に記載の粒状の排泄物処理材の製造方法。
【請求項３３】
５ｍｍ以下の粒度に粉砕された野菜屑粉砕物が、野菜屑を、５ｍｍ以下の粒度に湿式で粉砕して製造されたものと、野菜屑を乾燥し、この野菜屑乾燥物を５ｍｍ以下の粒度に乾式で粉砕して製造されたものを混合して製造されることを特徴とする請求項２６乃至２９の何れか一項に記載の粒状の排泄物処理材の製造方法。
【請求項３４】
添加物質が、脱臭作用を有する物質、殺菌作用を有する物質、接着作用を有する物質若しくは着色物質又はこれらの二以上の物質であることを特徴とする請求項２６乃至２９に記載の粒状の排泄物処理材の製造方法。
【請求項３５】
殺菌作用を有する物質が、殺菌剤若しくは防黴剤又は殺菌剤及び防腐剤であることを特徴とする請求項３４に記載の粒状の排泄物処理材の製造方法。
【請求項３６】
乾燥造粒物が、５ｍｍ以下の粒度の野菜屑粉砕物を５０重量％以上の量で含有するものであることを特徴とする請求項２６乃至２９の何れか一項に記載の粒状の排泄物処理材の製造方法。
【請求項３７】
乾燥造粒物が、５ｍｍ以下の粒度の野菜屑粉砕物を３０重量％以上の量で含有するものであることを特徴とする請求項２６乃至２９の何れか一項に記載の粒状の排泄物処理材の製造方法。
【請求項３８】
乾燥造粒物が、５ｍｍ以下の粒度の野菜屑粉砕物を１０重量％以上の量で含有するものであることを特徴とする請求項２６乃至２９の何れか一項に記載の粒状の排泄物処理材の製造方法。
【請求項３９】
乾燥造粒物の添加物質の含有率が、２０重量％以下であることを特徴とする請求項２６乃至２９に記載の粒状の排泄物処理材の製造方法。
【請求項４０】
乾燥造粒物が、野菜屑粉砕乾燥物として、葉菜屑、茎菜屑、根菜屑、果菜屑、花菜屑、香辛野菜屑、きのこ屑、山菜屑若しくは野草屑又はこれら二以上を含むものを含有することを特徴とする請求項２６乃至２９の何れか一項に記載の粒状の排泄物処理材の製造方法。
【請求項４１】
乾燥造粒物が、廃棄物配合材料粉砕物として、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、生理用ナプキン廃材、動物用生理用ナプキン廃材、乳パッド廃材、汗パッド廃材、失禁パッド廃材、動物用シーツ廃材、鮮魚輸送用ラミネート紙廃材、野菜輸送用ラミネート紙廃材、ラミネート紙の印刷屑、ラミネート紙の端屑、バフ粉、ダンボール屑、新聞屑、雑誌屑、木材屑、鉋屑、不織布屑、プラスチックフィルム廃材、プラスチックシート廃材、プラスチック材料製不織布廃材若しくは紙おむつ廃材粉砕物から分離されたプラスチック材料に富む分離産物、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材、紙粉、チタン紙廃材、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、又はこれら二以上を含む混合物を含有するものであることを特徴とする請求項２９又は２９に記載の粒状の排泄物処理材の製造方法。
【請求項４２】
乾燥造粒物は、廃棄物配合材料粉砕物を、５０重量パーセント以下の含有率で含有していることを特徴とする請求項２８又は２９に記載の粒状の排泄物処理材の製造方法。
【請求項４３】
乾燥造粒物は、廃棄物配合材料粉砕物を、３０重量パーセント以下の含有率で含有していることを特徴とする請求項２８又は２９に記載の粒状の排泄物処理材の製造方法。
【請求項４４】
請求項２６乃至３０の何れか一項に記載の製造方法又は請求項３６乃至４３の何れか一項に記載の製造方法で製造された乾燥造粒物を芯材とし、この芯材の表面に、被覆物質及び吸水性樹脂の混合物を含む被覆材料を被覆して、前記芯材が被覆材料の被覆層で覆われている被覆粒状物を形成し、この被覆粒状物を乾燥することを特徴とする粒状の排泄物処理材の製造方法。
【請求項４５】
被覆材料が、被覆物質、吸水性樹脂及び添加物質を含む混合物であることを特徴とする請求項４４に記載の粒状の排泄物処理材の製造方法。
【請求項４６】
被覆材料が、被覆物質、吸水性樹脂、添加物質及び界面活性剤を含む混合物であることを特徴とする請求項４４に記載の粒状の排泄物処理材の製造方法。
【請求項４７】
被覆材料が、被覆物質を８０重量％以上の量で含有して形成されていることを特徴とする請求項４４乃至４６の何れか一項に記載の粒状の排泄物処理材の製造方法。
【請求項４８】
乾燥された被覆粒状物の水分含有率が１５重量％以下であることを特徴とする請求項４４に記載の粒状の排泄物処理材の製造方法。
【請求項４９】
乾燥された被覆粒状物の水分含有率が１０重量％以下であることを特徴とする請求項４４に記載の粒状の排泄物処理材の製造方法。
【請求項５０】
乾燥された被覆粒状物の水分含有率が５重量％以下であることを特徴とする請求項４４に記載の粒状の排泄物処理材の製造方法。
【請求項５１】
被覆材料の添加物質が、脱臭作用を有する物質、殺菌作用を有する物質、接着作用を有する物質若しくは着色物質又はこれらの二以上の物質であることを特徴とする請求項４５又は４６に記載の粒状の排泄物処理材の製造方法。
【請求項５２】
殺菌作用を有する物質が、殺菌剤若しくは防黴剤又は殺菌剤及び防腐剤であることを特徴とする請求項５１に記載の粒状の排泄物処理材の製造方法。
【請求項５３】
被覆物質が、トイレットペーパー廃材、ティッシュペーパー廃材、化粧紙廃材、ちり紙廃材、紙綿廃材、紙タオル廃材、便座シート廃材若しくはバフ粉、又はダンボール屑、木材屑、鉋屑、木粉、家屋の解体材、新築廃材、不織布屑、製紙用パルプ廃材、機械パルプ廃材、化学パルプ廃材、セミケミカルパルプ廃材、綿状パルプ廃材、木材パルプ廃材、古紙パルプ廃材、紙粉、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、ベントナイト若しくは製紙用パルプ、又はこれら２種以上の混合物であり、０．５ｍｍ以下の粒度を有するものであることを特徴とする請求項４４乃至４７の何れか一項に記載の粒状の排泄物処理材の製造方法。
【発明の詳細な説明】
【０００１】
【発明の属する技術分野】
本発明は、人用及びは動物用の排泄物処理材及びその製造方法に関し、特に野菜屑粉砕乾燥物を原料として使用する、人用、又は猫科及び犬科動物並びにその他愛玩動物等の動物用の粒状の排泄物処理材及びその製造方法に関する。また本発明は、葉菜屑、茎菜屑、根菜屑、果菜屑、花菜屑、香辛野菜屑、きのこ屑、山菜屑若しくは野草屑又はこれら二以上を含む野菜屑の５ｍｍ以下の粒度の野菜屑粉砕乾燥物を活用した、人用及び動物用、特に猫科及び犬科動物並びにその他愛玩動物等の動物用の粒状の排泄物処理材及びその製造方法に関する。
【０００２】
【従来の技術】
家畜、愛玩動物等の動物用の粒状の排泄物処理材、特に屋内での粒状の排泄物処理材は、砂、ベントナイト、ゼオライト、製紙用パルプ、パルプスラッジなどを小塊状又は粒状に成形されている。
この種の愛玩動物用の粒状の排泄物処理材は、例えば室内で使用されるところから、清潔で、衛生的であることが望まれ、使用後、清潔さ及び衛生上の点から、廃棄処理され易いのが望まれる。しかし、砂、ゼオライト、ベントナイトなどの無機物の場合は、使用時、砕けて埃となり易く、また、使用後放置する間に汚臭を発生しても、非可燃物であるため焼却処理を行うことができず、また下水等に流すこともできない。そこで、消臭効果が低く、価格が高いが、吸水能に優れ、可燃物であるところから、製紙用パルプ及び紙粉の小塊状成形物が使用されている。
また、現在、例えば、青果市場からは残り野菜、レタスやキャベツ等の葉菜の表皮及び根菜の葉部などの廃棄野菜が大量に発生し、また、水耕栽培農工場からは、例えば、もやしやかいわれ大根などの野菜の不適格品が大量に発生し、さらに、給食センターや惣菜工場からは、ジャガイモの皮や果実の皮などの屑が大量に発生し、さらにまた、スーパーマーケットなどでのカット野菜の加工工程からは、切り屑や残り滓が大量に発生し、また、ジュース工場からは，人参や林檎やオレンジなどの絞り滓が大量に発生し、さらに、生産農家からは不適合品の屑野菜が大量に発生する。これらの野菜屑は、焼却処理されて埋め立て等に廃棄されるか、又は堆肥化されて堆肥として使用されている。
【０００３】
【発明が解決しようとする課題】
しかし、製紙用パルプ及び紙粉を原料とする排泄物処理材は比較的高価であり問題とされている。そこで、猫砂等の粒状の排泄物処理材の原材料として、製紙用パルプ廃材や、吸収体を有する衛生用品廃材などのその他廃材が使用されている。しかし、これらの廃材も、利用用途の開発に伴い、有用材化されて、廃材としての入手が困難となっており、問題とされている。
【０００４】
一方、野菜屑は、青果市場、水耕栽培農工場、給食センター、惣菜工場、ジュース工場及びスーパーマーケット等から大量に発生するが、何れも廃棄物として処理されており、その処理に多くの手間と費用を要し問題とされている。
本発明は、排泄物処理材の原材料を廃物に求めるとしても、保水性及び吸水性を有する廃材は、比較的有用であり、入手が困難であり、廉価な排泄物処理材を提供する上で問題とされている。
本発明は、青果市場、水耕栽培農工場、給食センター、惣菜工場、ジュース工場及びスーパーマーケット等から大量に発生する野菜屑粉砕物処理に係る問題点及び、廃材による人又は動物の排泄物処理材としての商品性能の低下に係る問題点を解決することを目的としている。
【０００５】
【課題を解決するための手段】
本発明者は、野菜屑乾燥物が、保水性及び吸水性が悪いが、野菜屑粉砕乾燥物を５ｍｍ以下の粒度に粉砕し、且つ界面活性剤で粉砕物の一部表面を処理することにより、粒状の排泄物処理材の原料に使用して保水性及び吸水性の良好な粒状の排泄物処理材が製造できることを発見し、本発明に至った。
本発明は、野菜屑を粒状の排泄物処理材の原料とすることにより、排泄した尿の吸収性及び保水性が良く、排泄物に接して塊状化でき、また焼却でき、しかも、乾燥野菜屑の臭気及び色彩を緩和して、室内でも不快感を与えることが無く、衛生的に安全に使用できる粒状の排泄物処理材を提供することを目的としている。
【０００６】
即ち、本発明は、５ｍｍ以下の粒度の野菜屑粉砕乾燥物及び前記野菜屑粉砕乾燥物より少ない量の吸水性樹脂を含有して、１ミリメートル以上の粒度を有する乾燥造粒物であることを特徴とする粒状の排泄物処理材にあり、また本発明は、５ｍｍ以下の粒度の野菜屑粉砕乾燥物、５ｍｍ以下の粒度の廃棄物配合材料粉砕物及び前記野菜屑粉砕乾燥物より少ない量の吸水性樹脂を含有して、１ミリメートル以上の粒度を有する乾燥造粒物であることを特徴とする粒状の排泄物処理材にあり、さらに本発明は、５ｍｍ以下の粒度の野菜屑粉砕乾燥物、前記野菜屑粉砕乾燥物より少ない量の吸水性樹脂及び前記吸水性樹脂より少量の添加物質を含有して、１ミリメートル以上の粒度を有する乾燥造粒物であることを特徴とする粒状の排泄物処理材にあり、さらにまた、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂及び前記吸水性樹脂より少量の添加物質を含有して、１ミリメートル以上の粒度を有する乾燥造粒物であることを特徴とする粒状の排泄物処理材にある。
【０００７】
そして、本発明は、５ｍｍ以下の粒度の野菜屑粉砕乾燥物及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質及び吸水性樹脂を含有する被覆材料により形成されている被覆部とを有する被覆粒状物であることを特徴とする粒状の排泄物処理材にあり、また本発明は、５ｍｍ以下の粒度の野菜屑粉砕乾燥物、５ｍｍ以下の粒度の廃棄物配合材料粉砕物、及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂を含有する被覆材料により形成されている被覆部とを有する被覆粒状物であることを特徴とする粒状の排泄物処理材にあり、さらに、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂及び添加物質を含有して、１ミリメートル以上の粒度を有する乾燥造粒物を含む芯部と、この芯部の表面の少なくともその一部を覆い、被覆物質、吸水性樹脂を含有する被覆材料により形成されている被覆部とを有する被覆粒状物であることを特徴とする粒状の排泄物処理材にあり、さらにまた、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂、添加物質及び界面活性剤を含有して、１ミリメートル以上の粒度を有する乾燥造粒物を含む芯部と、この芯部の表面の少なくともその一部を覆い、被覆物質、吸水性樹脂を含有する被覆材料により形成されている被覆部とを有する被覆粒状物であることを特徴とする粒状の排泄物処理材にある。
【０００８】
そして、本発明は、５ｍｍ以下の粒度の野菜屑粉砕乾燥物及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にあり、また本発明は、５ｍｍ以下の粒度の野菜屑粉砕乾燥物、５ｍｍ以下の粒度の廃棄物配合材料粉砕物、及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にあり、さらに、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂及び添加物質を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にあり、さらにまた、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂、添加物質及び界面活性剤を含有して、１ミリメートル以上の粒度を有する乾燥造粒物を含む芯部と、この芯部の表面の少なくともその一部に、被覆物質、吸水性樹脂及び添加物質を含有する被覆材料により形成されている被覆部とを有する被覆粒状物であることを特徴とする粒状の排泄物処理材にある。
【０００９】
そして、本発明は、５ｍｍ以下の粒度の野菜屑粉砕乾燥物及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にあり、また本発明は、５ｍｍ以下の粒度の野菜屑粉砕乾燥物、５ｍｍ以下の粒度の廃棄物配合材料粉砕物、及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にあり、さらに、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂及び添加物質を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にあり、さらにまた、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂、添加物質及び界面活性剤を含有して、１ミリメートル以上の粒度を有する乾燥造粒物を含む芯部と、この芯部の表面の少なくともその一部を覆い、被覆物質、吸水性樹脂及び添加物質を含有する被覆材料により形成されている被覆部とを有する被覆粒状物であることを特徴とする粒状の排泄物処理材にある。
【００１０】
さらに、本発明は、５ｍｍ以下の粒度の野菜屑粉砕乾燥物及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂、添加物質及び界面活性剤を含有する被覆材料により形成されている被覆部とを有する被覆粒状物であることを特徴とする粒状の排泄物処理材にあり、また本発明は、５ｍｍ以下の粒度の野菜屑粉砕乾燥物、５ｍｍ以下の粒度の廃棄物配合材料粉砕物、及び前記野菜屑粉砕乾燥物より少ない量の吸水性樹脂を含有して、１ミリメートル以上の粒度を有する乾燥造粒物を含む芯部と、この芯部の表面の少なくともその一部を覆い、被覆物質、吸水性樹脂、添加物質及び界面活性剤を含有する被覆材料により形成されている被覆部とを有する被覆粒状物であることを特徴とする粒状の排泄物処理材にあり、さらに、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂及び添加物質を含有して、１ミリメートル以上の粒度を有する乾燥造粒物を含む芯部と、この芯部の表面の少なくともその一部を覆い、被覆物質、吸水性樹脂、添加物質及び界面活性剤を含有する被覆材料により形成されている被覆部とを有する被覆粒状物であることを特徴とする粒状の排泄物処理材にあり、さらにまた、本発明は、５ｍｍ以下の粒度の野菜屑粉砕乾燥物、５ｍｍ以下の粒度の廃棄物配合材料粉砕物、前記野菜屑粉砕乾燥物より少ない量の吸水性樹脂、添加物質及び界面活性剤を含有して、１ミリメートル以上の粒度を有する乾燥造粒物を含む芯部と、この芯部の表面の少なくともその一部を覆い、被覆物質、吸水性樹脂、添加物質及び界面活性剤を含有する被覆材料により形成されている被覆部とを有する被覆粒状物であることを特徴とする粒状の排泄物処理材にある。
【００１１】
そして、本発明は、５ｍｍ以下の粒度の野菜屑粉砕物に、該野菜屑粉砕物より少ない量の吸水性樹脂、又は５ｍｍ以下の粒度の廃棄物配合物質及び該野菜屑粉砕物より少ない量の吸水性樹脂、又は５ｍｍ以下の粒度の廃棄物配合物質、該野菜屑粉砕物より少ない量の吸水性樹脂及び添加物質、又は５ｍｍ以下の粒度の廃棄物配合物質、該野菜屑粉砕物より少ない量の吸水性樹脂、添加物質及び界面活性剤を混合し、この混合物を造粒して、１ミリメートル以上の粒度の造粒物を形成し、この形成された造粒物を乾燥して乾燥造粒物とすることを特徴とする粒状の排泄物処理材の製造方法にあり、また本発明は、５ｍｍ以下の粒度の野菜屑粉砕物に、該野菜屑粉砕物より少ない量の吸水性樹脂、又は５ｍｍ以下の粒度の廃棄物配合物質及び該野菜屑粉砕物より少ない量の吸水性樹脂、又は５ｍｍ以下の粒度の廃棄物配合物質、該野菜屑粉砕物より少ない量の吸水性樹脂及び添加物質、又は５ｍｍ以下の粒度の廃棄物配合物質、該野菜屑粉砕物より少ない量の吸水性樹脂、添加物質及び界面活性剤を混合し、この混合物を造粒して、１ミリメートル以上の粒度の造粒物を形成し、この造粒物の表面に、被覆物質及び吸水性樹脂を含む被覆層を形成して、被覆粒状物を形成し、この被覆粒状物を乾燥することを特徴とする粒状の排泄物処理材の製造方法にあり、さらに本発明は、５ｍｍ以下の粒度の野菜屑粉砕物に、該野菜屑粉砕物より少ない量の吸水性樹脂、又は５ｍｍ以下の粒度の廃棄物配合物質及び該野菜屑粉砕物より少ない量の吸水性樹脂、又は５ｍｍ以下の粒度の廃棄物配合物質、該野菜屑粉砕物より少ない量の吸水性樹脂及び添加物質、又は５ｍｍ以下の粒度の廃棄物配合物質、該野菜屑粉砕物より少ない量の吸水性樹脂、添加物質及び界面活性剤を混合し、この混合物を造粒して、１ミリメートル以上の粒度の造粒物を形成し、この造粒物の表面に、被覆物質、吸水性樹脂及び添加物質を含む被覆層を形成して、被覆粒状物を形成し、この被覆粒状物を乾燥することを特徴とする粒状の排泄物処理材の製造方法にあり、さらにまた、本発明は、５ｍｍ以下の粒度の野菜屑粉砕物に、該野菜屑粉砕物より少ない量の吸水性樹脂、又は５ｍｍ以下の粒度の廃棄物配合物質及び該野菜屑粉砕物より少ない量の吸水性樹脂、又は５ｍｍ以下の粒度の廃棄物配合物質、該野菜屑粉砕物より少ない量の吸水性樹脂及び添加物質、又は５ｍｍ以下の粒度の廃棄物配合物質、該野菜屑粉砕物より少ない量の吸水性樹脂、添加物質及び界面活性剤を混合し、この混合物を造粒して、１ミリメートル以上の粒度の造粒物を形成し、この造粒物の表面に、被覆物質、吸水性樹脂及び添加物質を含む被覆層を形成して、被覆粒状物を形成し、この被覆粒状物を乾燥することを特徴とする粒状の排泄物処理材の製造方法にあり、さらに加えて、本発明は、５ｍｍ以下の粒度の野菜屑粉砕物に、該野菜屑粉砕物より少ない量の吸水性樹脂、又は５ｍｍ以下の粒度の廃棄物配合物質及び該野菜屑粉砕物より少ない量の吸水性樹脂、又は５ｍｍ以下の粒度の廃棄物配合物質、該野菜屑粉砕物より少ない量の吸水性樹脂及び添加物質、又は５ｍｍ以下の粒度の廃棄物配合物質、該野菜屑粉砕物より少ない量の吸水性樹脂、添加物質及び界面活性剤を混合し、この混合物を造粒して、１ミリメートル以上の粒度の造粒物を形成し、この造粒物の表面に、被覆物質、吸水性樹脂、添加物質及び界面活性剤を含む被覆層を形成して、被覆粒状物を形成し、この被覆粒状物を乾燥することを特徴とする粒状の排泄物処理材の製造方法にある。
【００１２】
【発明の実施の形態】
本発明は、粒状の排泄物処理材の原材料の一つとして、野菜屑を使用する。本発明の粒状の排泄物処理材は、野菜屑粉砕乾燥物、特に界面活性剤により一部処理された野菜屑粉砕乾燥物を原料として、造粒することにより製造される。このように製造された造粒物は、吸水性がよく、吸水速度が大きく、しかも、排泄物処理材としても、乾燥されて水分を１０重量％以下とすると、野菜屑の臭いを緩和することができる。
本発明において、５ｍｍ以下の粒度に粉砕された野菜屑粉砕物の水分調整は、野菜屑を、５ｍｍ以下の粒度に湿式で粉砕して製造されたものと、野菜屑を乾燥し、この野菜屑乾燥物を５ｍｍ以下の粒度に乾式で粉砕して製造されたものを混合して製造することができる。このようにすると、その混合割合に応じて、野菜屑の水分を調整することができる。
【００１３】
本発明において、野菜屑の用語は、葉菜屑、茎菜屑、根菜屑、果菜屑、花菜屑、香辛野菜屑、きのこ屑、山菜屑若しくは野草屑又はこれら二以上を含むものを意味する。本発明において、野菜屑は、例えば、水耕栽培の工場からの不適格品、例えばもやし、かいわれ大根等の不適格品、青果市場からの各種野菜の残り物、例えば、白菜、レタス、キャベツ、ほうれん草等の葉菜の表皮や、大根、人参、牛蒡、蕪等の根菜の葉の部分、給食センターや惣菜工場からのジャガイモの皮や果実の皮等の各種野菜の廃棄部分、生産農家からの各種野菜についての不適合品である廃棄野菜、又は市場の各種野菜についてのコスト調整の廃棄野菜、ジュース工場からの人参などの野菜汁の絞り滓、又は林檎やオレンジなどの果汁の絞り滓、又はスーパーマーケット等のカット野菜の加工工程で発生する各種野菜の切り屑や残り滓等、又はこれらの二種以上の野菜屑を含む屑類がある。これら野菜屑粉砕物は、人又は動物が接触して、毒性が少ないものが選ばれる。
【００１４】
本発明において、野菜屑は、１ミリメートル以上の粒度を有する粒状の排泄物処理材に形成するために、造粒し易い粒度、例えば５ｍｍ以下の粒度、好ましくは３ｍｍ以下の粒度に粉砕される。
本発明において、粒状の排泄物処理材は、人又は動物用であり、５ｍｍ以下の粒度の野菜屑粉砕乾燥物を主として含有して１ミリメートル以上の粒度を有する乾燥造粒物に形成される。また本発明において、粒状の排泄物処理材に、吸水性及び保水性を与えるために、粒状の排泄物処理材は、該野菜屑粉砕乾燥物の他に、野菜屑粉砕乾燥物より少ない量で吸水性樹脂を含有させて、１ミリメートル以上の粒度を有する乾燥造粒物に形成されるのが好ましい。また本発明の粒状の排泄物処理材には、野菜屑粉砕物が使用されるために、その臭気及び色調が室内の環境を低下させることが無いように、また、衛生的に安全であるように、添加物質、即ち、殺菌作用を有する物質、脱臭作用を有する物質、着色作用を有する物質若しくは接着作用を有する物質又はこれらの二種以上の物質を混合することができる。
【００１５】
本発明において、粒状の排泄物処理材の、使用される野菜屑粉砕物による臭気等を緩和するために、また、粒状の排泄物処理材の吸水能を高めるために、５ｍｍ以下の粒度の廃棄物配合材料粉砕物を配合することができる。野菜屑粉砕物に配合される廃棄物配合材料は、粒状の排泄物処理材中の野菜屑粉砕物の含有率を低下させて、野菜屑の臭気を緩和できるものであり、また、粒状の排泄物処理材の吸水能力及び保水能力を高めることができるものから選ぶのが好ましい。
【００１６】
本発明において、このような廃棄物配合材料としては、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、アイマスク廃材、座席用ヘッドカバー廃材、枕カバー廃材、紙おむつ廃材、生理用ナプキン廃材、動物用紙おむつ廃材、動物用生理用ナプキン廃材、乳パッド廃材、汗パッド廃材、失禁パッド廃材、排泄物処理材の廃材、動物用シーツ廃材、衛生用品の廃材、鮮魚輸送用ラミネート紙廃材、野菜輸送用ラミネート紙廃材、ラミネート紙の印刷屑、ラミネート紙の端屑、バフ粉、ダンボール屑、新聞紙屑、雑誌屑、茶殻、焙煎コーヒー豆の抽出残渣、チタン紙廃材、製紙スラッジ、パルプスラッジ、木材屑、鉋屑、木粉、家屋の解体材、新築廃材、不織布屑、ビート糖の粕、蜜柑の実の皮等の柑橘果皮、製紙用パルプ廃材、活性炭入りパルプ廃材、茶殻、機械パルプ廃材、化学パルプ廃材、セミケミカルパルプ廃材、綿状パルプ廃材、木材パルプ廃材、古紙パルプ廃材、紙粉、パンチ屑、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、おから、ビートパルプ、ベントナイト、ゼオライト、シリカゲル若しくは製紙用パルプ、又はこれらの中の２以上を含む混合物がある。これらの廃棄物配合材料粉砕物は、５ｍｍ以下の粒度、好ましくは、３ｍｍ以下の粒度、さらに好ましくは、２ｍｍ以下の粒度に粉砕されて、粒状の排泄物処理材の造粒に使用される。
【００１７】
本発明において、粒状の排泄物処理材は、野菜屑粉砕乾燥物を原料とする乾燥造粒物であり、また、該乾燥造粒物を芯材とし、該芯材のの少なくとも一部表面を被覆材料で覆った乾燥被覆粒状物である。本発明において、乾燥造粒物及び乾燥被覆造粒物中の野菜屑粉砕乾燥物の量は多いほうが、野菜屑が多く処理できることとなるので好ましい。例えば、５ｍｍ以下の粒度の野菜屑粉砕乾燥物を５０重量％以上の量で含有することができるが、好ましくは５ｍｍ以下の粒度の野菜屑粉砕乾燥物を３０重量％以上の量で含有することができ、更に好ましくは、５ｍｍ以下の粒度の野菜屑粉砕乾燥物を１０重量％以上の量で含有することができる。
【００１８】
本発明において、野菜屑粉砕乾燥物に加えられる乾燥造粒物の廃棄物配合材料粉砕物含有率は、乾燥造粒物又は乾燥被覆粒状物中の、野菜屑粉砕乾燥物の含有率に応じて、５０重量パーセント以下とすることができ、好ましくは、３０重量％以下、さらに好ましくは１０重量％以下とすることができる。廃棄物配合材料の吸水能力が大きい場合には、適宜増量することができる。吸水能力が大きい廃棄物配合材料としては、トイレットペーパー廃材、ティッシュペーパー廃材、化粧紙廃材、紙ナプキン廃材、ちり紙廃材、紙綿廃材、紙タオル廃材、便座シート廃材、動物用排泄物処理材の廃材、寝具用シーツ廃材、マスク廃材、枕カバー廃材、紙おむつ廃材、生理用ナプキン廃材、動物用紙おむつ廃材、動物用生理用ナプキン廃材、乳パッド廃材、汗パッド廃材、失禁パッド廃材、動物用シーツ廃材、機械パルプ廃材、化学パルプ廃材、セミケミカルパルプ廃材、綿状パルプ廃材、木材パルプ廃材、古紙パルプ廃材、合成樹脂繊維廃材、木材屑、鉋屑、木粉、家屋の解体材、新築廃材、紙粉、フラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉又はこれら二以上を含む混合物などがあるが、このような吸水能力が大きい廃棄物配合材料の場合は、配合量を少なくできるので好ましい。
これに対して、鮮魚輸送用ラミネート紙廃材、野菜輸送用ラミネート紙廃材、ラミネート紙の印刷屑、ラミネート紙の端屑、木材屑、鉋屑、不織布屑、プラスチックフィルム廃材、プラスチックシート廃材、プラスチック材料製不織布廃材若しくは紙おむつ廃材粉砕物から分離されたプラスチック材料に富む分離産物、チタン紙廃材、パンチ屑、合成樹脂繊維廃材、木材屑、鉋屑、木粉、家屋の解体材、又はこれら二以上を含む混合物などの比較的吸水能力の低い廃棄物配合材料の場合は、保水能力があるので比較的多く配合することとなる。
【００１９】
本発明において、野菜屑粉砕物又は野菜屑粉砕乾燥物に廃棄物配合材料が混合されるが、これら廃棄物は、製品の製造時に発生する規格外の不良品若しくは裁断屑、該不良品の再生処理時に発生する廃品及び使用済みの廃品の再生処理時に発生する廃品であって、前記製品の製造工程、並びに不良品及び廃品の再生工程において利用されないものである。例えば、紙食器廃棄物は、製造時に発生する紙食器の不良品、例えばラミネート紙食器の不良品廃棄物の他に、食事に供された使用済みの使い捨て紙食器類の廃棄物をも包含する。
【００２０】
前記５ｍｍ以下の粒度の廃棄物配合材料粉砕物の中、例えば、乳パッド廃棄物、失禁パッド廃棄物、紙おむつ廃棄物や生理用ナプキン廃棄物等の吸収体を含む廃棄物の有機質の廃棄物は、ポリエチレン、ポリプロピレン、レーヨン及び合成ゴム材などのプラスチック材料を、フィルムなどの形態で含有するが、この他に、吸水性を有する材料のフラッフパルプや紙粉を含み、さらに、吸水性樹脂をも含んでいるので、吸水性を有する芯部の形成材料として使用することができる。この場合、これらの廃棄物は、５ｍｍ以下の粒度、好ましくは、３ｍｍ以下の粒度、さらに好ましくは２ｍｍ以下の粒度に粉砕されて使用されるが、このような粒度に粉砕すると、前記廃棄物に含有されているプラスチックフィルムは、フィルム間に水分を保持し易くなって保水機能を発揮できるので、保水材として使用可能である。また、廃棄物に残留するフラッフパルプ及び吸水性樹脂は、吸水性材料として使用可能である。
【００２１】
また、乳パッド廃棄物、失禁パッド廃棄物、紙おむつ廃棄物又は生理用ナプキン廃棄物等の吸収体を有する衛生用品の廃棄物は、２０ｍｍ以下の粒度に破砕して分級することにより、フラッフパルプ及び高吸水性樹脂に富む部分と、プラスチック類に富む部分とに分別することができ、フラッフパルプ及び高吸水性樹脂に富む部分を分級回収して、衛生用品等に再利用されている。本発明は、このフラッフパルプ及び高吸水性樹脂に富む部分の回収の際に発生するプラスチック類に富む部分を、５ｍｍ以下の粒度に粉砕して、５ｍｍ以下の粒度の野菜屑粉砕乾燥物に混合することにより、造粒物又は、造粒物で構成される芯材の原料として使用するものでもある。しかし、この回収の際に発生するプラスチック類に富む部分と、フラッフパルプ及び高吸水性樹脂に富む部分とを、必要に応じて、夫々５ｍｍ以下の粒度に粉砕して、適宜の割合で配合することにより、造粒物、芯材又は粒状物の原料として使用することもできる。
【００２２】
プラスチックフィルムに富む部分の場合は、５ｍｍ以下の粒度の野菜屑粉砕乾燥物粒子とプラスチックフィルム又はフィルム相互間に水分を保持することができるので、保水性を有し、保水材料として使用可能である。また、プラスチック類に富む材料は、フラッフパルプ及び高吸水性樹脂をも含んでおり、この高吸水性樹脂は、プラスチック類に富む材料について、吸水性を付与することができるので、プラスチック類に富む材料は、５ｍｍ以下、好ましくは３ｍｍ以下の粒度に粉砕することにより、保水性を有し、かつ吸水性を有する材料として使用可能である。この場合、５ｍｍ以下の粒度の野菜屑粉砕物若しくは野菜屑粉砕乾燥物又はこれらの混合物は、プラスチック材料が配合されて造粒されることとなるので、５ｍｍ以下の粒度の野菜屑粉砕乾燥物を含有していても、粒状の排泄物処理材の燃焼熱を高めて、粒状の排泄物処理材が、使用後においても可燃性とすることができる。この場合においても、界面活性剤の使用は、廃プラスチック材料の吸水速度を向上させるので好ましい。
【００２３】
本発明において、野菜屑の粉砕は、湿式及び乾式で行うことができる。野菜屑の粉砕を湿式で行うときは、野菜屑からの水が被造粒材料に含まれて、被造粒材料中の水分含有率が高くなるので、造粒に必要な水分含有率にまで、例えば、廃棄物配合材料等を加えて低下させることとなる。この場合、野菜屑を多く消費するために、廃棄物配合材料等の配合量を抑えて、被造粒材料の水分含有率を比較的高い水分含有率、例えば３０乃至４０重量％の水分含有率とし、この比較的高い水分含有率下による造粒、例えば、スクリュー式押出し造粒機による造粒を行うのが好ましい。これに対して、野菜屑を乾燥して粉砕する乾式粉砕の場合には、被造粒材料中の水分含有率が低くなるので、粘性を与える吸水性樹脂を潤滑成分として混合して、比較的低水分で造粒できるディスクペレッター等のロール式押出し造粒機やラム式押出し造粒機による造粒を行うのが好ましい。
【００２４】
本発明において、乾燥野菜屑は、吸水速度が、パルプ等に比して小さい欠点を改良するために、界面活性剤が使用される。界面活性剤は、造粒前に、被造粒材料に添加される。界面活性剤の添加量は、被造粒材料の５重量％以下、好ましくは１重量％以下とするのが好ましい。界面活性剤は、アニオン界面活性剤、カチオン界面活性剤、両性界面活性剤又はノニオン界面活性剤を使用することができる。この場合、界面活性剤は、水等の溶媒に溶解され溶液を希釈して又は希釈しないで使用される。乾燥造粒物は、界面活性剤溶液が添加された混合物を造粒して、１ミリメートル以上の粒度の造粒物を形成し、この形成された造粒物を乾燥して製造される。このように界面活性剤の添加は、造粒により得られた野菜屑粉砕乾燥物を含む造粒物粒子を水に対して濡れ易くさせ、野菜屑粉砕乾燥物の造粒物、即ち粒状の排泄物処理材についての水の吸収を速くすることができる。
【００２５】
本発明において、粒状の排泄物処理材は、触って、さらさらした感触を与え、また、粒状の排泄物処理材の長期保存の際に、黴等を生じないようにし、さらに、粒状の排泄物処理材中の野菜屑粉砕乾燥物から発生する臭を和らげるために、乾燥造粒物又は乾燥被覆粒状物における水分含有率、即ち排泄物処理材の水分含有率は、１５重量％以下、好ましくは、１０重量％以下、さらに好ましくは、５重量％以下にされる。このように水分含有率が１５重量％以下、１０重量％以下又は５重量％以下となるように、熱風乾燥等の加熱乾燥により乾燥して、５ｍｍ以下の粒度の野菜屑粉砕乾燥物の造粒物の野菜屑粉砕物臭や感触の悪さを大いに減少することができ、衛生的に安全なものにすることができ、猫等の動物の排泄に使用する上で影響を与えない。
【００２６】
本発明において、吸水性樹脂を含有させた野菜屑粉砕物の乾燥造粒物又は乾燥された被覆粒状物は、その侭、動物の排泄物処理材として使用することかできるが、この場合、粒状物の崩壊又は剥離等により粉塵となって飛散するのを避けるために、例えば、０．１ｍｍより小さい粒径の細かい粉状部分を分離しておくのが好ましい。
本発明において粒状の排泄物処理材は、０．１ｍｍ以下の粒度の野菜屑粉砕乾燥物等の微細な粉塵の発生を極力避けるために、例えば１ｍｍ以上の粒径の造粒物に造粒されるのが好ましいが、３ｍｍ以上の粒径の粒子に造粒すると、例えば、トイレ用の箱から室内に散り難くなり、仮令散ったとしても、粒子を拾い集めるのが容易であり、室内の衛生を保つ上で好ましい。しかし、これらの場合、１ｍｍ以下の粒子の存在や、３ｍｍ以下の粒子の存在を完全に排斥するものではない。本発明において、造粒物及び被覆粒状物は、球状、柱状、粒状、顆粒状若しくはその他の形状又はこれらの混合物に形成することができる。
【００２７】
本発明において、人又は動物用の粒状の排泄物処理材には、５ｍｍ以下の粒度の野菜屑粉砕乾燥物及び５ｍｍ以下の粒度の廃棄物配合材料粉砕物を含む造粒物の吸水機能及び保水機能を高めるために、またこの造粒物で形成される芯部の吸水機能及び保水機能を高めるために、粉状の吸水性樹脂を、前記野菜屑粉砕物及び廃棄物配合材料粉砕物を含む被造粒材料の混合物に配合することができる。この場合、造粒前に、５ｍｍ以下の粒度の野菜屑粉砕物、又は前記５ｍｍ以下の粒度の野菜屑粉砕物及び５ｍｍ以下の粒度の廃棄物配合材料粉砕物の混合物に吸水性樹脂が混合される。この場合、混合される吸水性樹脂は、造粒物又は粒状芯部を造粒する造粒機内において、潤滑材として機能するものである。
【００２８】
このように吸水性樹脂を潤滑材として機能させる場合には、例えば、α澱粉やポリアクリル酸ナトリウム等の吸水性能が低い吸水性樹脂を使用することができる。吸水性樹脂をこのように使用する場合には、吸水性樹脂は、野菜屑粉砕物及び５ｍｍ以下の粒度の廃棄物配合材料粉砕物を含む被造粒材料を造粒機で造粒するときの潤滑材として機能する量で使用される。この場合、吸水性樹脂の量は、形成される粒状芯部の２０重量％以下とするのが好ましく、特に１０重量％以下であるのが好ましい。
【００２９】
また、本発明において、吸水性樹脂は、該造粒物の粘着性及び吸水性を向上させ、さらに押出し造粒装置における造粒物の滑り易さを増すために配合される。
本発明の動物の排泄物処理材においては、その吸水能及び保水機能を高めるための５ｍｍ以下の粒度の廃棄物配合材料粉砕物とし、粉状の高吸水性樹脂を配合することができる。
本発明において配合される吸水性樹脂は、不良品の吸水性樹脂、高吸水性樹脂廃棄物、比較的吸水性能の小さい吸水性樹脂及び吸水性能の高い高吸水性樹脂を意味する。しかし、吸水性の高いものを使用すると、吸水性樹脂の使用量を少なくできるので好ましい。
【００３０】
高吸水性樹脂は、該樹脂に対し重量で数十倍から二千倍程度の水を吸収しても、形を保持できる樹脂であり、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これら高級水性樹脂は、造粒に先立って、５ｍｍ以下の粒度の野菜屑粉砕乾燥物の粒子に、単独で又は２種以上の混合物の形で配合することができる。
【００３１】
本発明において、５ｍｍ以下の粒度の野菜屑粉砕乾燥物を含む造粒物の芯部の表面の一部を被覆して被覆部が形成される。この被覆部には、被覆部が速やかに水を吸収でき、かつ粒子相互が尿に濡れて粘着又は接着できるように、吸水及び接着機能を有するパルプ粉又は紙粉、及び吸水性樹脂が選ばれる。芯部の上に形成される被覆層部は、吸水及び接着機能を有するように、各種パルプ粉又は紙粉の他に各種吸水性樹脂を配合して形成することができる。この場合、被覆層部は、例えば、パルプ粉又は紙粉に加えて、吸水及び接着機能を有する吸水性樹脂、吸水量が比較的大きい高吸水性樹脂及び増粘剤として機能する吸水性樹脂を、実験的に求められた適当な比率で配合して形成することができる。
【００３２】
本発明において、造粒物及び芯部に使用される接着作用を有する物質、例えば接着剤は、５ｍｍ以下の粒度の野菜屑粉砕乾燥物の粘着性を向上させるための添加物質として使用されるものであり、ポリビニルアルコール、小麦粉、コーンスターチ、カルボキシメチルセルロース（ＣＭＣ）、ゼラチン、高吸水性樹脂、ビニルエステル、ベントナイト、ポリビニルアルコール（ＰＶＡ）（ポバール：商品名）、α−澱粉、コーンスターチ、アルギン酸ナトリウム、プルラン、カゼイン又はゼラチンなどがあり、これらは、単独で使用されるか、又はこれら２種以上を混合して接着剤として使用される。また、アルコール溶解性の接着剤としては、ヒドロキシエチルセルロース（ＨＥＣ）、ヒドロキシプロピルセルロース（ＨＰＣ）又はポリビニルピロリドン或は（ＰＶＰ）などがあり、この場合も同様に、単独で使用されるか、又はこれら２種以上を混合して５ｍｍ以下の粒度の廃棄物配合材料粉砕物として使用することができる。ゼラチン等のゲル化剤及びポリビニルアルコールは、５ｍｍ以下の粒度の野菜屑粉砕乾燥物の固形化を安定させる接着剤として機能するので好ましい。
【００３３】
本発明において、５ｍｍ以下の粒度の廃棄物配合材料粉砕物の紙粉としては、吸水速度が比較的小さい紙粉、例えば、鮮魚輸送用ラミネート紙廃材、野菜輸送用ラミネート紙廃材、ラミネート紙の印刷屑又はラミネート紙の端屑などの粉砕物、また、バフ粉、ダンボール屑、新聞紙屑、雑誌屑、チタン紙廃材又はパンチ屑などの粉砕物等の紙粉、衛生用品廃棄物の分級産物のフラッフパルプ、吸水性樹脂を含む紙粉、製本時に発生する紙粉、不織布製造時に発生する紙粉、製紙工程において発生する紙粉若しくは衛生材料製造時に発生する紙粉又はこれら２種以上の混合物がある。
【００３４】
本発明において、乾燥造粒物、乾燥被覆粒状物、乾燥被覆粒状物の芯部又は乾燥被覆粒状物の被覆部には、添加物質を配合することができる。本発明において、添加物質は、脱臭作用を有する物質、殺菌作用を有する物質、接着作用を有する物質若しくは着色作用を有する物質又はこれらの二以上の物質を包含する。
【００３５】
本発明において、殺菌作用を有する物質には、殺菌剤若しくは防黴剤又は殺菌剤及び防腐剤が包含される。本発明において、殺菌作用を有する物質としては、酢酸、コハク酸、乳酸、リンゴ酸、クエン酸、酒石酸、アジピン酸、安息香酸、安息香酸ナトリウム、ソルビン酸、ソルビン酸カリウム、、デヒドロ酢酸、デヒドロ酢酸ナトリウム、プロピオン酸、プロピオン酸ナトリウム、プロピオン酸カルシウム、ヒノキチオール、次亜塩素酸ナトリウム、パラオキシ安息香酸イソブチル、パラオキシ安息香酸イソプロピル、パラオキシ安息香酸エチル、パラオキシ安息香酸ブチル、パラオキシ安息香酸プロピル、二酸化塩素若しくは食塩、又はこれら２種以上の混合物がある。
【００３６】
本発明において使用される脱臭作用又は消臭作用を有する物質、即ち、脱臭剤又は消臭剤としては、活性炭、シリカゲル、木酢液、竹酢液、焙煎コーヒー豆の抽出残渣、茶殻、ゼオライト、ベントナイト、カテキン類、カルコン、フラバノン、フラボン、フラボノール、フラバノノール、フラバノール、イソフラボン、アントシアン類、スメルナーク（商品名：株式会社東海興産製）、ミヤラビ（商品名：発売元：海球倶楽部）パンシルＢＡ−２１０−１（柿抽出液）（リリース科学工業株式会社製）若しくはヒバ油、又はこれらの二種以上の混合物がある。
【００３７】
また、本発明において、排泄物処理材は、５ｍｍ以下の粒度の野菜屑粉砕乾燥物を主として含有するので、造粒物の表面及び外観は、該５ｍｍ以下の粒度の野菜屑粉砕乾燥物の本来有する黄褐色になっており、室内等において使用するのに、見た目が悪くなり、５ｍｍ以下の粒度の野菜屑粉砕乾燥物及び５ｍｍ以下の粒度の廃棄物配合材料粉砕物これら廃材偉材の固有の色とは異なる色の着色物質により着色されるのが好ましい。例えば、白色粉状の５ｍｍ以下の粒度の廃棄物配合材料粉砕物を、排泄物処理材の４０重量％以下の量、好ましくは、１０重量％以下の量で、造粒に先立って、該野菜屑粉砕物に混合したり、該５ｍｍ以下の粒度の野菜屑粉砕物の造粒物の表面にまぶしたりして、粒状の排泄物処理材における野菜屑粉砕物乾燥造粒物の色調を、野菜屑粉砕乾燥物の色調と異なる色調に、例えば、略白色又は白色に近づかせるなどして、野菜屑粉砕物乾燥造粒物おける野菜屑粉砕乾燥物の色を緩和させることができる。
【００３８】
また、本発明において、着色作用を有する物質は、例えば、着色剤等の着色物質であり、これらの着色物質の使用は、野菜屑粉砕乾燥物粒子、野菜屑粉砕乾燥物の造粒物及び野菜屑粉砕物粒子を前記着色物質により着色して、野菜屑粉砕乾燥物等の色を隠すことができる。また、この場合、着色された野菜屑粉砕物粒子を造粒して、野菜屑粉砕物の色を確実に隠した造粒物とすることもでき、またこの造粒物を更に着色することもできる。またこの他に、造粒された５ｍｍ以下の粒度の野菜屑粉砕乾燥物の造粒物の色を、着色物質により着色した場合で、被覆物質及び吸水性樹脂により被覆した場合、排泄に使用後には、粒状の排泄物処理材が濡れるが、濡れた被覆部は透け易いので、濡れていないときは隠れていた被覆部の下の色が、濡れた被覆部を透して顕色するようになる。したがつて、例えば、排泄時に濡れた粒状の排泄物処理材の部分は、地の色が透けて外側から見える様になるので、この色の発現を利用して濡れた部分を濡れない部分と識別可能となる。
【００３９】
本発明において、このような着色作用を有する物質として、顔料及び染料を使用することができる。このような顔料及び染料には、白色のものとして、紙粉、炭酸カルシウム、酸化チタン及び合成パールがあり、黒色のものとしては、カーボン、エリオクロムブラックＴ、アミノブラック１０Ｂ及びクロラゾルブラックＢＨがある。青色の顔料及び染料としては、シアニンブルー、アゾブルー及びパテントブルーがあり、緑色の顔料及び染料としては、シアニングリーン及びエメラルドグリーンがあり、黄色の顔料及び染料としては、アゾイエロー、アシッドイエロー及びハンサイエローがある。紙粉は、染料、顔料等により予め着色して、各種着色用の材料として使用することができる。
【００４０】
本発明において、５ｍｍ以下の粒度の野菜屑粉砕乾燥物の乾燥造粒物に配合される５ｍｍ以下の粒度の廃棄物配合材料粉砕物は、５ｍｍ以下の粒度、好ましくは３ｍｍ以下の粒度で混合され、造粒物における野菜屑粉砕物の性質を緩和する。
本発明において、野菜屑粉砕物粒子には、造粒に先立って、粉状の５ｍｍ以下の粒度の廃棄物配合材料粉砕物を４０重量％以下の量で、好ましくは１０重量％以下の量で混合することができる。この場合、５ｍｍ以下の粒度の廃棄物配合材料粉砕物の色調は、本発明の排泄物処理材の色調に合わせた色調とするのが好ましい。野菜屑粉砕物粒子が、造粒に先立って予め着色される場合には、５ｍｍ以下の粒度の廃棄物配合材料粉砕物の色調は、着色粒子の色調と混合して、単一色又は混合色とすることができる。しかし、本発明において、５ｍｍ以下の粒度の野菜屑粉砕乾燥物の着色粒子の色調と５ｍｍ以下の粒度の廃棄物配合材料粉砕物の色調とを一致させると、斑模様を少なくできるので好ましい。
【００４１】
本発明において、５ｍｍ以下の粒度の廃棄物配合材料粉砕物は、５ｍｍ以下の粒度の野菜屑粉砕乾燥物の着色又は未着色の粒子と混合して加えてもよく、また別途に加えても良いが、造粒物中で、野菜屑粉砕物粒子と合体させるようにするのが好ましい。被覆造粒物の場合、芯部を着色剤で着色しておくと、粒状の排泄物処理材として使用したとき、排泄後に被覆部が濡れて、内側の芯部が透けて見えることにより、濡れた粒子を見分けるのが簡単になるので好ましい。
【００４２】
本発明において、着色物質及び５ｍｍ以下の粒度の廃棄物配合材料粉砕物の色彩を、紙粉又はパルプ等により、例えば白一色に揃えると、人又は動物用の診断用指示薬を配合して、排泄物についての検査用指示薬の発色の確認が容易となり、人又は動物の排泄物による検診を簡単に行うことができる。本発明において使用される排泄物検査用指示薬としては、例えば、従来の人又は動物用の尿検査用指示薬、例えば、人の尿検査用指示薬、即ち尿ｐＨ指示薬、尿蛋白指示薬、尿糖指示薬、尿ヘモグロビン指示薬及びその他の人の尿検査用指示薬が使用することができる。
【００４３】
本発明において、このような指示薬、特にｐＨ指示薬を配合する場合には、指示薬の発色を正確かつ容易に検出できるようにするために、造粒物の表面を紙粉又はパルプ粉で被覆して、被覆部を形成し、指示薬を配合するのが好ましい。ｐＨ指示薬以外の他の指示薬の場合には、乾燥造粒物又は被覆粒状物の粒子表面を白色の着色剤で着色し、これに白色乃至略白色の５ｍｍ以下の粒度の廃棄物配合材料粉砕物に指示薬を添加混合したものを配合するのが好ましい。この場合、上記の白色の顔料及び染料に替えて、白色乃至略白色の増量材等の５ｍｍ以下の粒度の廃棄物配合材料粉砕物を着色物質として使用することができる。
【００４４】
したがって、例えば上に列記の白色の着色物質以外に、例えば、ベントナイト、ゼオライト、炭酸カルシウム及び石膏等の鉱物質の白色５ｍｍ以下の粒度の廃棄物配合材料粉砕物、並びに小麦粉、紙粉、製紙用パルプ粉、製紙スラッジ及びＣＭＣ等の白色５ｍｍ以下の粒度の廃棄物配合材料粉砕物を、５ｍｍ以下の粒度の野菜屑粉砕乾燥物粒子の表面の着色物質として、使用することができる。
尿ｐＨ指示薬の場合は、使用される着色物質及び５ｍｍ以下の粒度の廃棄物配合材料粉砕物はｐＨに影響を与えないものとされる。例えば、パルプ粉、紙粉、チタン白等が使用される。
【００４５】
また、本発明において、５ｍｍ以下の粒度の野菜屑粉砕乾燥物の着色乾燥造粒物は、それ自体脱臭能を有しているが、動物が排泄した尿等が分解して汚臭となるのを極力避けるために、本発明の動物の排泄物処理材には、５ｍｍ以下の粒度の野菜屑粉砕乾燥物の着色乾燥造粒物に、補助脱臭剤として、１０重量％以下の量で、吸着能を有する白色粉状のベントナイト、ゼオライト等、又は例えば黒色のたばこ用のチャコールフイルターの屑といった活性炭入りパルプ廃物などを配合することができる。これらは造粒物中に配合されるのが好ましい。
【００４６】
本発明において、排泄物処理材は、保存時の黴の発生を避けるために、５ｍｍ以下の粒度の野菜屑粉砕乾燥物の乾燥造粒物に、殺菌作用を有する物質を添加することができる。本発明において、このような殺菌作用を有する物質は、着色された５ｍｍ以下の粒度の野菜屑粉砕乾燥物を脱色しないように、脱色作用を有しないものが好ましい。例えば、食品の保存及び殺菌に使用される食品用の保存料及び殺菌料を使用するのが好ましい。したがって、有機酸、食塩、ソルビン酸又はその塩、プロピオン酸カルシウム、ヒノキチオール並びに安息香酸又はその塩、などの殺菌剤、防腐剤及び防黴剤が使用される。酸化により容易に脱色されない顔料を５ｍｍ以下の粒度の野菜屑粉砕乾燥物の着色物質とする場合には、次亜塩素酸又はその塩、例えば次亜塩素酸ナトリウムや次亜塩素酸カルシウム、これらの他に二酸化塩素を配合することができる。ヒバ油の中の有効成分であるヒノキチオールの添加は、桧及びひば等のヒノキチオールを含有する木粉を添加して行なうことができる。このようなヒノキチオール含有の木粉を使用することは、製材工場の廃物を有効に利用することができるので好ましい。
【００４７】
本発明において、尿に触れて排泄物処理材粒子相互を接着させて、容易に塊を形成して、尿に触れた部分を容易に取り出し易くさせるようにしたり、使用時の粒状の排泄物処理材の粉化を避けるために、５ｍｍ以下の粒度の野菜屑粉砕乾燥物に、接着機能を有する５ｍｍ以下の粒度の廃棄物配合材料粉砕物を配合するのが好ましい。このような５ｍｍ以下の粒度の廃棄物配合材料粉砕物には、水溶性又は水分散性の５ｍｍ以下の粒度の廃棄物配合材料粉砕物として、紙粉、製紙用パルプ、製紙スラッジ、パルプスラッジ、ポリビニルアルコール（ＰＶＡ）、小麦粉、澱粉、コーンスターチ、カルボキシメチルセルロース（ＣＭＣ）、プルラン又はゼラチンなどがあり、これらは、単独で使用されるか、又はこれら２種以上を混合して混合物の形で使用される。また、アルコール溶解性の５ｍｍ以下の粒度の廃棄物配合材料粉砕物としては、ヒドロキシエチルセルロース（ＨＥＣ）、ヒドロキシプロピルセルロース（ＨＰＣ）又はポリビニルピロリドン或（ＰＶＰ）などがあり、この場合も同様に、単独で使用されるか、又はこれら２種以上を混合して混合物の形で使用される。
【００４８】
本発明において、５ｍｍ以下の粒度の野菜屑粉砕乾燥物は、造粒装置により造粒される。造粒装置としては、従来周知の、スクリュー式、ラム式及びロール式等の押出し造粒装置を使用することができる。しかし、この他に、圧縮造粒装置、パン型造粒装置、ドラム型造粒装置及び流動層型造粒装置などの各種造粒装置を使用することができる。このようにして造粒された造粒物は、乾燥される。この
乾燥造粒物は、５ｍｍ以下の粒度の野菜屑粉砕乾燥物を５０重量％以上の量で含有するものであり、また好ましくは、乾燥造粒物が、５ｍｍ以下の粒度の野菜屑粉砕乾燥物を３０重量％以上の量で含有するものであり、さらに好ましくは、乾燥造粒物が、５ｍｍ以下の粒度の野菜屑粉砕乾燥物を１０重量％以上の量で含有するものである。
これらの造粒装置において、成形された造粒物の表面への白色粉末の付着は、造粒物が形成されたところで、造粒物表面に、例えば白色粉末を直接付着させたり、又は白色粉末を溶液又は懸濁液に変えて、噴霧等により付着させることができる。
【００４９】
本発明において、粒状の排泄物処理材を、造粒物で形成される芯部と、該芯部の表面を被覆する被覆部とで形成した乾燥被覆粒状物とすることができる。この場合、着色され又は着色されない野菜屑粉砕物の造粒物又は野菜屑粉砕物の乾燥造粒物には、その表面を覆って、被覆物質及び高吸水性樹脂で形成され、又は被覆物質、高吸水性樹脂及び接着剤で形成された被覆部を設けることができる。被覆部は、濡れて互いに接触する排泄物処理材粒子同士が接着して、凝集塊を形成することができるように、被覆物質は、濡れて接着可能である材料が好ましい。
【００５０】
この場合、被覆部は、被覆材料で芯部を被覆して形成される。被覆材料は、被覆物質と吸水性樹脂の混合物に、添加物質若しくは界面活性剤又は添加物質及び界面活性剤を混合して調製することができる。被覆物質としては、紙粉を使用するのが好ましい。この場合、被覆部を形成する紙粉の量は、被覆部の５０重量部以上であり、好ましくは６０重量％であり、さらに好ましくは、紙粉５５重量％である。また,被覆部を形成する吸水性樹脂の量は、被覆部に対して４０重量％以下であり、好ましくは、３５重量％である。被覆部を形成する接着剤の量は、被覆部に対して１０重量％以下であり、好ましくは、０．５重量％、であり、さらに好ましくは、１０重量％である。この場合、例えば、野菜屑粉砕物の造粒物に、紙粉と吸水性樹脂の混合物を付着させ、その後乾燥することにより容易に剥落しないようにすることができる。しかし、この場合、接着剤を使用すると、被覆部の芯部に対する接着が強固にできるので好ましい。
【００５１】
本発明において、このような被覆物質としては、衛生用品の製造工程から排出される規格外の廃材又は裁断屑などがあり、このような廃材としては、トイレットペーパー廃材、ティッシュペーパー廃材、化粧紙廃材、ちり紙廃材、紙綿廃材、紙タオル廃材、便座シート廃材、バフ粉などがあり、これらの以外の被覆材料として使用できる廃材としては、ダンボール屑、木材屑、鉋屑、木粉、不織布屑、製紙用パルプ廃材、機械パルプ廃材、化学パルプ廃材、セミケミカルパルプ廃材、綿状パルプ廃材、木材パルプ廃材、古紙パルプ廃材、紙粉、衛生用品廃棄物の分級産物のフラッフパルプ、吸水性繊維廃材、吸水性樹脂廃材、吸水性樹脂を含む紙粉、製本時に発生する紙粉、不織布製造時に発生する紙粉、製紙工程において発生する紙粉若しくは衛生材料製造時に発生する紙粉、ベントナイト若しくは製紙用パルプ、又はこれら２種以上の混合物がある。これらの被覆材料は、０．５ｍｍ以下の粒度、好ましくは０．３ｍｍ以下の粒度、さらに好ましくは０．１ｍｍ以下の粒度に粉砕されて被覆部の形成に使用される
【００５２】
本発明において、粒状の排泄物処理材は、５ｍｍ以下の粒度の野菜屑粉砕乾燥物を含む造粒物表面が、被覆層又は着色層で覆われているので、野菜屑粉砕物特有の黄色、薄茶、茶色又は茶褐色等の色は隠されて、粒状の排泄物処理材の使用時における、例えば室内の調度との調和、衛生感、使用者の好み及び色彩雰囲気等に応じることが可能なり、また、粒状の排泄物処理材の多色化を可能にすることができる。
【００５３】
本発明において、粒状の排泄物処理材は、野菜屑乾燥粉砕物を含む造粒物表面を、被覆部で覆って形成することができる。被覆部で覆われた粒状の排泄物処理材において、被覆部は、乾燥被覆粒状物の被覆部の表面に排泄物を付着させて、排泄物を排泄物処理材により包み込むように、排泄物処理材の粒子相互も接着可能に形成されて、排泄物処理材粒子はその周囲から排泄物を包み込むことができるので、排泄物の汚臭等は、排泄物処理材に吸着されて周囲に汚臭が放散されることはない。
【００５４】
しかも、本発明においては、粒状の排泄物処理材は、野菜屑粉砕物に５ｍｍ以下の粒度の廃棄物配合材料粉砕物を混合して造粒して形成される。５ｍｍ以下の粒度の廃棄物配合材料粉砕物を混合する場合、５ｍｍ以下の粒度の廃棄物配合材料粉砕物の中には、５ｍｍ以下の粒度の廃棄物配合材料粉砕物自体が、吸着能を有するものがあるので、この場合は、吸着物質を特に加えることなく、人又は動物用の粒状の排泄物処理材として使用することができる。したがって、本発明の粒状の動物用排泄物処理材は、人又は動物の排泄した尿を吸収し、消臭性が良好である。さらに、本発明の粒状の排泄物処理材は、特に着色物質で着色してあるので、尿検査用指示薬を配合しても、その発色を際立たせることが容易であり、人又は動物の排泄した尿の色を検査して、人又は動物の健康状態を監視することが容易となる。
【００５５】
本発明において、ポリビニルアルコール及び／又は小麦粉が混合されている場合には、人又は動物の排泄物に付着して、排泄物を塊状に包み込むこととなり、後始末が簡単かつ容易である。また、動物の排泄処理材中に補助脱臭剤及び／又は高吸水性樹脂が混合されている場合には、排泄物処理材として更に優れた脱臭性並びに吸水性及び保水性を発揮する。
【００５６】
本発明は、従来、廃物とされて、その処理が問題とされていた野菜屑を、５ｍｍ以下の粒度の野菜屑粉砕乾燥物とし、この野菜屑粉砕乾燥物に、茶殻、活性炭入りパルプ廃物、紙粉等の可燃性の廃棄物配合材料及び吸水性樹脂を混合して、人又は動物用の粒状の排泄物処理材とするものである。このように、本発明においては、人又は動物用の粒状の排泄物処理材は、主として可燃物で構成されているので、焼却等廃棄処理が容易である。
【００５７】
本発明は、人又は動物用の粒状の排泄物処理材が、５ｍｍ以下の粒度の野菜屑粉砕乾燥物を主として含有し、吸水性若しくは脱臭性又は吸水性及び脱臭性に優れる茶殻等の廃棄物配合材料粉砕物を混合して、１ｍｍ以上、好ましくは３ｍｍ以上の粒径の造粒物に、形成されるので、動物の排泄した尿の吸収が良く、また保水性が良く、消臭性が顕著に良好である。
【００５８】
しかも、本発明の人又は動物用の粒状の排泄物処理材には、吸水性樹脂、特に高吸水性樹脂等の吸水性を有する材料、又は小麦粉、ポリビニルアルコール、澱粉若しくはゲル化剤その他接着能を有する材料、又は殺菌作用を有する物質或はこれら添加物質の二以上のものを配合できるので、動物の排泄物に付着して、排泄物を塊状に包み込むこととなり、後始末が簡単かつ容易である。また、脱臭剤及び／又は吸水剤が混合されている場合には、排泄物処理材として更に優れた脱臭性及び吸水性を発揮する。さらにまた、殺菌作用を有する物質が混合されている場合には、排泄物処理材は、黴などの発生がなく長期間に亙って保存することができる
【００５９】
【実施例】
以下、本発明の実施の態様の例を説明するが、本発明は、以下の説明及び例示によって何等制限されるものではない。
図１は、本発明の一実施例の粒状の排泄物処理材を製造する工程を示す概略の平面図である。図２は、本発明の他の一実施例の粒状の排泄物処理材を製造する工程を示す概略の平面図である。図１及び図２において、対応する箇所には同一の符号が付されている。
【００６０】
図１において、青果市場等から排出される野菜屑は、５mm以下の粒度に粉砕されて、野菜屑粉砕物供給用の計量ホッパー１に供給される。野菜屑粉砕物供給用ホッパー１は、ベルトコンベヤ装置２の搬送路上に位置して、ベルトコンベヤ装置２に、野菜屑粉砕物を供給可能に設けられている。また、本例において、主としてプラスチック廃棄物、パルプ及び高吸水性樹脂を含む紙おむつ分級残渣供給用の計量ホッパー３は、ベルトコンベヤ装置４の搬送路上に位置して、ベルトコンベヤ装置４に紙おむつ分級残渣を供給可能に設けられている。本例において、野菜屑粉砕物供給用のベルトコンベヤ装置２の搬出口５及び紙おむつ分級残渣供給用のベルトコンベヤ装置４の搬送出口６は、夫々、第一混合用ベルトコンベヤ装置７の導入口に位置して設けられている。ベルトコンベヤ装置２及びベルトコンベヤ装置４で第一混合用ベルトコンベヤ装置７に供給された野菜屑粉砕物及び紙おむつ分級残渣は、第一混合用ベルトコンベヤ装置７の搬送出口８から混合用ホッパー９に収容される。
【００６１】
混合用ホッパー９に入れられた紙おむつ分級残渣は、混合用ホッパー９の供給口１０から第二混合用ベルトコンベヤ装置１１に供給され、第二混合用ベルトコンベヤ装置１１からスクリュー式押出し造粒装置１２の混合装置１３に供給される。混合装置１３において、野菜屑粉砕物と紙おむつ分級残渣の混合される。造粒される混合物の水分は、野菜屑粉砕物から供給される。野菜屑粉砕物と紙おむつ分級残渣の混合比率は、その混合物の水分が造粒に適した水分となるように調整される。野菜屑粉砕物と紙おむつ分級残渣の混合物は、スクリュー式押出し造粒装置１２に導入されて、ダイス１４から、径が４ｍｍ長さが１０ｍｍの柱状の造粒物として押し出される。造粒装置１２のダイス１４の下方には、押し出された造粒物を、円形篩１５に送るための造粒物搬送用のベルトコンベヤ装置１６が設けられている。本例において、前記造粒物搬送用のベルトコンベヤ装置１６の造粒物供給口１７は、円形篩１５上に位置している。前記円形篩１５の目の開きは、粒子径の４ｍｍより小さく、約３．５ｍｍである。該円形篩１５における篩上粒子は、篩上出口１７から出て、該篩上出口１８に接続する篩上粒子搬送用のベルトコンベヤ装置１９に供給される。
【００６２】
篩上粒子の搬送用ベルトコンベヤ装置１９の搬出端２０は、振動型整粒機２１上に位置し、振動型整粒機２１に接続している。振動型整粒機２１は、互いに付着する造粒物を、振動させることにより，付着し合った粒を一粒の粒子に解すものであり、使用時の粉化を極力少なくするために設けられている。篩上粒子は、搬送用ベルトコンベヤ装置１９により、振動型整粒機２１に供給され、個々の粒子に解される。
一方、円形篩１６の篩下粒子は、篩下出口２２に設けられている篩下粒子搬送用のベルトコンベヤ装置２３に移され、該ベルトコンベヤ装置２３の搬出端２４から、造粒装置１２への第二混合用ベルトコンベヤ装置１１に戻される。
【００６３】
本例においては、振動型整粒機２１の出口側には、目の開きが４ｍｍ以下の篩２５が設けられている。前記篩上粒子搬送用のベルトコンベヤ装置１９から振動型整粒機２１に送られた造粒物は、振動型整粒機２１の振動により一粒宛解されて、粒状の芯部となるものであり、該振動型整粒機２１の出口側の篩２５に送り出される。篩２５の篩下出口（図示されていない）の下方には、搬出端２６が混合物搬送用のベルトコンベヤ装置１１上に位置している篩下搬送用ベルトコンベヤ装置２７が設けられており、篩２５の篩下粒子は、篩下搬送用ベルトコンベヤ装置２７により、造粒装置１２に接続する第二混合用ベルトコンベヤ装置１１に戻される。
【００６４】
振動型整粒機２１において、４ｍｍ以上の粒度の粒子は、篩上出口２８に送り出される。この篩上出口２８に送り出された篩上粒子は、その表面を、０．３ｍｍの粒度の紙粉及び高吸水性樹脂の混合物である被覆材料で被覆するために、篩上出口２８に接続する篩上搬送用のベルトコンベヤ装置２９から搬出される。該篩上搬送用のベルトコンベヤ装置２９の出口３０は、振動篩型の第一造粒物被覆装置３１の供給装置３２の上に設けられている。本例において、前記第一造粒物被覆装置３１には、０．３ｍｍの粒度の例えば紙粉及び高吸水性樹脂の混合物の被覆材料供給ホッパー３３が被覆材料供給路３４を介して接続しており、該被覆材料は、被覆材料供給路３４により、振動篩型の第一造粒物被覆装置３１に供給される。
前記振動型整粒機２１において解された４ｍｍ以上の粒度の粒子は、篩上出口２５に接続する篩上搬送用のベルトコンベヤ装置２９から搬出され、該篩上搬送用のベルトコンベヤ装置２９に接続する第一造粒物被覆装置３１の供篩装置３２に供給される。芯部となる粒子は、供給装置３２から第一造粒物被覆装置３１に搬送されて、被覆材料供給路３４により、０．３ｍｍの粒度の紙粉及び高吸水性樹脂の混合物である被覆材料が散布されて、該被覆材料により表面が被覆される。
【００６５】
本例において使用される第一、第二及び第三の造粒物被覆装置３１、３５及び３６は、共に同一タイプの振動型の造粒物被覆装置であり、本例においては、これら三基の造粒物被覆装置３１、３５及び３６は直列に接続して設けられている。即ち、第一造粒物被覆装置３１の排出路３７は第二造粒物被覆装置３５に接続し、第二の造粒物被覆装置３５の排出路３８は第三造粒物被覆装置３６に接続している。第一、第二及び第三の造粒物被覆装置３１、３５及び３６において、前記振動型整粒機２１において解された４ｍｍ以上の粒度の粒子は、０．３ｍｍの粒度の紙粉及び高吸水性樹脂の混合物の被覆材料が散布されて、芯部の表面上に被覆部が形成される。
本例において、第三造粒物被覆装置３６には、水の噴霧装置３９が設けられており、被覆部が形成された被覆粒子の被覆部に、噴霧装置３９からは、水道水等の水が噴霧される。
【００６６】
第三造粒物被覆装置３６において、被覆部に水道水が噴霧された被覆粒子は、第三の造粒物被覆装置３６の排出路４０から、その下方に設けられている被覆造粒物搬送用ベルトコンベヤ装置４１によつて、該被覆造粒物搬送用ベルトコンベヤ装置４１が接続する乾燥機４２に送られる。
被覆材料で被覆された被覆造粒物は、乾燥機４２、例えば熱風乾燥機に導入され、乾燥される。乾燥機４２の乾燥物出口４３の下方には、乾燥造粒物搬送用のベルトコンベヤ装置４４が設けられている。この乾燥被覆造粒物搬送用のベルトコンベヤ装置４４の搬出端は、乾燥被覆造粒物収容タンク４５の入り口部４６に設けられており、乾燥機４２で乾燥された乾燥被覆造粒物は、乾燥機４２の乾燥物出口４３から、乾燥被覆造粒物搬送用のベルトコンベヤ装置４４に移り、この搬送用のベルトコンベヤ装置４４により、乾燥被覆造粒物収容タンク４５の入り口部４６に送られる。本例において、乾燥被覆造粒物収容タンク４５は、廃塵除去装置（図示されていない）を排気部４７に備えている。乾燥被覆造粒物は、乾燥被覆造粒物収容タンク４５の出口（図示されていない）下方に設けられた乾燥被覆造粒物搬出用のシュート４８により乾燥被覆造粒物搬出用ベルトコンベヤ装置４９に取り出され、目開き例えば１０ｍｍの上段篩及び目開き４ｍｍの下段篩を備える整粒用の円形振動篩装置５０に送られて、比較的粗い粒子と比較的細かい粒子が分離除去されて、整粒される。整粒された被覆造粒物は粒状の排泄物処理材の製品である。円形振動篩装置５０の中段出口（図示されていない）に接続する製品搬出用ベルトコンベヤ装置５１は、自動包装装置５２に接続しており、整粒された製品は、自動包装装置５２に送られて、そこで自動包装される。自動包装装置５２には、出荷用ベルトコンベヤ装置５３が接続しており、包装された製品は、出荷用ベルトコンベヤ装置５３から出荷される。
【００６７】
本例の装置は以上のように構成されているので、所定量の野菜屑粉砕物を計量ホッパー１に入れ、また所定量の紙おむつ分級残渣を計量ホッパー３に入れる。
そこで、野菜屑粉砕物供給用のベルトコンベヤ装置２及び紙おむつ分級残渣供給用のベルトコンベヤ装置４を作動させて、混合用ホッパー９に、夫々、所定量の野菜屑粉砕物及び紙おむつ分級残渣を供給する。これら所定量の野菜屑粉砕物及び紙おむつ分級残渣の混合用ホッパー９で混合された混合物は、混合物搬送用のベルトコンベヤ装置１１に供給され、予備混合装置１３に送られる。本例において、予備混合装置１３において、野菜屑粉砕物と紙おむつ分級残渣は、含水状態で一様に混合される。この混合物は、水分含有率が概略８０重量％の野菜屑粉砕物及び水分含有率が１０重量％以下の紙おむつ分級残渣の混合比率に応じて、この混合物の水分含有率は約３０乃至４５重量％であり、本例においては、約４０重量％に調整されて造粒装置１２に供給される。
【００６８】
本例において、造粒装置１２は、スクリュウ押出し型造粒機であり、スクリュウの回転により押し出されて、ダイス１４の穴に相当する断面を有し、チョッパーにより所定の長さに切断されて、例えば、平均径が約４ｍｍ、平均長さが１０ｍｍの造粒物粒子が得られる。
造粒装置１２のダイス１４から押し出される造粒物粒子は、造粒物搬送用のベルトコンベヤ装置１６により、円形篩１５に送られて、篩分けされ、篩下の４ｍｍ以下の粒度の造粒物は、篩下粒子搬送用のベルトコンベヤ装置２３によつて、混合物搬送用のベルトコンベヤ装置１１に戻される。４ｍｍ以上の粒度の篩上粒子は、篩上粒子搬送用のベルトコンベヤ装置１９によって、振動型整粒機２１に送られ、一粒づつに解される。一粒づつに解されて、４ｍｍ以上の粒子は、振動型整粒機２１の出口側篩２５の篩上搬送用のベルトコンベヤ装置２９によつて、第一の造粒物被覆装置３１に送られ、そこで、紙粉及び高吸水性樹脂の混合物の被覆材料が造粒物に対し所定の比率で被覆される。被覆材料は、被覆材料供給ホッパー３３で、被覆材料の紙粉及び吸水性樹脂の混合物は、所定の配合比に調製され、被覆材料供給路３４により第一造粒物被覆装置３１に送られる。
他方、振動型整粒機２１で解されて４ｍｍ未満の粒度の粒子は、振動型整粒機２１の出口側篩２５の篩下出口から篩下搬送用ベルトコンベヤ装置２７を介して混合物搬送用のベルトコンベヤ装置１１に戻され、再度造粒処理される。
【００６９】
第一の造粒物被覆装置３１で被覆材料で被覆された一次被覆造粒物粒子は、余剰の被覆材料と共に、第一造粒物被覆装置３１の排出路３３から、第二の造粒物被覆装置３５に送られ、前記一次被覆造粒物粒子をさらに被覆される。第二造粒物被覆装置３５でさらに被覆処理された二次被覆造粒物粒子は、余剰の被覆材料と共に、第二造粒物被覆装置３５の排出路３８から、第三の造粒物被覆装置３６に送られて、水道水の噴霧下で余剰の被覆材料によりさらに被覆される。
第三造粒物被覆装置３６で被覆材料で被覆された三次被覆造粒物粒子は、第三造粒物被覆装置３６の排出路４０から乾燥機４２に送られて、熱風により乾燥される。熱風乾燥機の温度は１００℃以上の温度に保たれる。乾燥された造粒物は、乾燥被覆造粒物搬送用のベルトコンベヤ装置４４により、乾燥被覆造粒物収容タンク４５に送られ、乾燥被覆造粒物は、乾燥被覆造粒物収容タンク４５に収容される。乾燥被覆造粒物には、被覆工程及び乾燥工程で粒子同士が接着したり、又は粒子の一部が剥離して、一部不揃いの粒子となるので、乾燥被覆造粒物収容タンク４５から出荷される乾燥被覆造粒物は、乾燥被覆造粒物搬出用のシュート４８から乾燥被覆造粒物搬出用のベルトコンベヤ装置４９を経て、目開きが例えば１０ｍｍの上段篩及び目開きが例えば４ｍｍの下段篩を備える円形振動篩装置５０に送られて整粒されて、粒状の排泄物処理材の製品とされる。円形振動篩装置５０で整粒された粒状の排泄物処理材の製品は、製品搬出用ベルトコンベヤ装置５１から自動包装装置５２に送られて、自動包装される。自動包装装置５２で包装された製品は、出荷用ベルトコンベヤ装置５３から出荷される。
本例において、添加物質、即ち、殺菌作用を有する物質、脱臭作用を有する物質、接着作用を有する物質若しくは着色物質又はこれらの二以上の混合物は、水に混合して噴霧下に被覆造粒物粒子の被覆層に混合される。着色物質が混合された被覆造粒物粒子の色は着色物質の色に応じて、白色、黄色、緑色又は青色等の色を呈する。
【００７０】
図２に示す実施例は、被覆造粒物の芯部にも、添加物質を混合する事例であり、他の点は、図１に示す実施例と同様である。
図２に示す実施例において、混合装置１３には、添加物質溶液を混合するための添加溶液噴霧用ノズル５４を備える添加物質溶液噴霧装置５５が設けられている。
本例においては、混合用ホッパー９で混合された野菜屑粉砕乾燥物及び紙おむつ分級残渣の混合物は、混合用ホッパー９の排出口１０から第二混合用ベルトコンベヤ装置１１に供給され、第二混合用ベルトコンベヤ装置１１からスクリュー式押出し粒装置１２の混合装置１３に供給される。本例において、混合装置１３には、添加物質溶液噴霧装置５５が設けられており、野菜屑粉砕物と紙おむつ分級残渣混合物に、添加物質の溶液を噴霧することにより、添加物質が混合された野菜屑粉砕物と紙おむつ分級残渣は、含水状態で一様に混合される。本例においても、図１に示す実施例の場合と同様に、造粒される混合物の水分は、その殆どは、野菜屑粉砕物から供給されるが、僅かながら、添加物質の溶液の噴霧によっても加えられる。本例においても、図１に示す実施例と同様に、造粒に必要な水分は、野菜屑粉砕物と紙おむつ分級残渣の混合比率によって調整される。本例においては、予備混合装置１３で混合された混合物は、水分含有率が概略８０重量％の野菜屑粉砕物、水分含有率が１０重量％以下の紙おむつ分級残渣及び添加物質溶液の混合比率に応じて、水分含有率は約３０乃至４５重量％に調整され、殊に、本例においては、約４０重量％に調整されて造粒装置１２に供給される。このように形成された、添加物質、野菜屑粉砕物及び紙おむつ分級残渣の混合物は、スクリュー式押出し造粒装置１２に導入されて、ダイス１４から、径が４ｍｍ長さが１０ｍｍの柱状の造粒物として押し出される。
図２に示す実施例において、更に図１に示す実施例と相違する点は、被覆造粒物搬送用ベルトコンベヤ装置４１に、界面活性剤の噴霧装置５６を備える界面活性剤溶液噴霧装置５７が設けられており、被覆造粒物に、界面活性剤の溶液を噴霧することにより、粒状の排泄物処理材に界面活性剤を付着させて粒状の排泄物処理材は、排泄物の吸収速度を大きくした点である。
図２に示す実施例は、以上に掲げた相違する点の他は、図１に示した実施例と同様であり、図１に示す装置と同様に処理され、人又は動物用排泄物処理材を製造する。
図１及び図２に示す実施例において、界面活性剤は、第三の造粒物被覆装置３６において、水の噴霧装置３９から被覆層に噴霧することにより被覆層に混合させることができる。
【００７１】
例１．
青果市場から排出されたレタスの表皮を湿式粉砕機（株式会社ホーライ社製）で、スクリーン目５ｍｍを通して粉砕し、この粉砕された５ｍｍ以下の粒度の含水率８０重量％のレタスの表皮粉砕物５０重量部、並びに規格はずれの紙おむつ不良品を、乾式粉砕機（株式会社ホーライ社製）で、スクリーン目３ｍｍを通して粉砕し、この粉砕された３ｍｍ以下の粒度の紙おむつ不良品の粉砕物２０重量部及び不織布製造業者から排出される裁断屑を、乾式粉砕機（株式会社ホーライ社製）で、スクリーン目３ｍｍを通して粉砕し、この粉砕された３ｍｍ以下の粒度の不織布裁断屑の粉砕物の２０重量部を、リボンミキサーで混合し、この混合物９０重量部を、株式会社平賀工作所製のミートチョッパーの導入部の手前のスクリューフィーダー内に入れ、これに添加物質を含む配合物質５１重量部を混合した。この配合物質は、▲１▼  三菱化学株式会社製の高吸水性樹脂を４０μｍ以下に粉砕した高吸水性樹脂２０重量部、▲２▼  ハイモ株式会社製の高吸水性樹脂（商品名ＨＳ−１１００ハイモサブ）を４０μｍ以下に粉砕した高吸水性樹脂１５重量部、▲３▼Ｔ−α澱粉（商品名）（松谷化学工業株式会社製）１０重量部、▲４▼  デキストリン（松谷化学工業株式会社製）５重量部及び▲５▼  消臭及び抗菌剤のセルロースに銅を化学結合したクリーンスカイ（商品名、株式会社興人製）３重量部の混合物である。この配合物質を混合した混合物は、含水率約２９重量％であり、株式会社平賀工作所製のミートチョッパーの導入部に入れて、直径４ｍｍの開口、厚さ２５ｍｍのダイスから押し出し、チョッパーで裁断して造粒した。この造粒により４ｍｍ径で長さ１０ｍｍの粒子の造粒物が得られた。この造粒物は、４０乃至６０℃の温度の温風乾燥機で水分が１０％以下になるまで乾燥された。乾燥後、乾燥物は、上段に８ｍｍ開口の篩、下段に３．８ｍｍ開口の篩を備える円形振動篩装置で、比較的大きい粒子と細かい粒子が篩分けて分離除去され、主として、直径４．２ｍｍ、長さ１０ｍｍのペレット状の造粒物を得た。このペレットを集めて、猫のトイレ用の砂とした。
室内において、本例で作製された猫のトイレ用の砂に３５℃の温度の２０倍に希釈したアンモニア水５０ｍを加えたが、非常に吸水性及び脱臭性が良好であり、室内にアンモニア臭を感じなかった。
またこの猫のトイレ用の砂を猫のトイレに厚さ３ｃｍに敷いて使用したが、猫は普段と同様にトイレとして使用しており、使用の上で何等支障がなかった。
猫が排泄に使用後、この猫のトイレ用の砂の、猫が排泄した部分についてはよく固まっており、スコップで簡単且つ容易に取り出すことができた。
本例においては、造粒される混合物の高吸水性樹脂の使用量が２３重量％と比較的多量に使用され、高吸水性樹脂による潤滑機能が発揮されるので、使用水分量を少なくすることができる。
【００７２】
例２．
ジュース製造業者から排出された人参の絞り粕を湿式粉砕機（株式会社ホーライ社製）で、スクリーン目３ｍｍを通して粉砕し、この粉砕された３ｍｍ以下の粒度の含水率６０重量％の人参の絞り粕粉砕物５０重量部、並びに衛生ナプキンの規格外品２０重量部を、不織布製造業者から排出される不織布裁断屑３０重量部と混合し、乾式粉砕機（株式会社ホーライ社製）で、スクリーン目３ｍｍを通して粉砕し、この粉砕された３ｍｍ以下の粒度の衛生ナプキンの規格外品及び及び不織布裁断屑の混合物の粉砕物の全量５０重量部を、リボンミキサーで混合し、この混合物を不二パウダル株式会社製のディスクペレッターの導入部の手前のスクリューフィーダー内に、配合物質を加えた。この配合物質は、▲１▼  三菱化学株式会社製の高吸水性樹脂を４０μｍ以下に粉砕した高吸水性樹脂１０重量部、▲２▼  消臭及び抗菌剤のパンシルＢＡ-２１０−１（商品名、リリース科学工業株式会社製）１重量部の混合物である。配合物質を混合した混合物は、含水率約２７重量％であり、不二パウダル株式会社製のディスクペレッターの導入部に入れて、直径４ｍｍの開口、厚さ２５ｍｍのダイスから押し出し、チョッパーで裁断して造粒した。この造粒により４ｍｍ径で長さ１０ｍｍの粒子の造粒物が得られた。この造粒物の表面に、界面活性剤のネオペレックス（商品名：花王株式会社製）の７０倍希釈液を噴霧した。界面活性剤が噴霧された造粒物は、４０乃至６０℃の温度の温風乾燥機で水分が１０％以下になるまで乾燥された。乾燥後、乾燥物は、上段に８ｍｍ開口の篩、下段に３．８ｍｍ開口の篩を備える円形振動篩装置で、比較的大きい粒子と細かい粒子が篩分けて分離除去され、主として、直径４．２ｍｍ、長さ１０ｍｍのペレット状の造粒物を得た。このペレットを集めて、猫のトイレ用の砂とした。
室内において、本例で作製された猫のトイレ用の砂に３５℃の温度の２０倍に希釈したアンモニア水５０ｍを加えたが、非常に吸水性及び脱臭性が良好であり、室内にアンモニア臭を感じなかった。
またこの猫のトイレ用の砂を猫のトイレに厚さ３ｃｍに敷いて使用したが、猫は普段と同様にトイレとして使用しており、使用の上で何等支障がなかった。
猫が排泄に使用後、この猫のトイレ用の砂の、猫が排泄した部分についてはよく固まっており、スコップで簡単且つ容易に取り出すことができた。
【００７３】
例３．
青果市場から排出されたレタスの表皮を湿式粉砕機（株式会社ホーライ社製）で、スクリーン目５ｍｍを通して粉砕し、この粉砕された５ｍｍ以下の粒度の含水率８０重量％のレタスの表皮粉砕物６５重量部、印刷工場から排出されたラミネート紙を乾式粉砕機（株式会社ホーライ社製）で、スクリーン目３ｍｍを通して粉砕し、この粉砕された３ｍｍ以下の粒度のラミネート紙粉砕物６１．５重量部をリボンミキサーで混合し、この混合物に、Ｔ−α澱粉（商品名）（松谷化学工業株式会社製）３．５重量部を混合して、含水率約４０重量％として、株式会社平賀工作所製のミートチョッパーの押出部に入れて、直径４ｍｍの開口、厚さ２５ｍｍのダイスから押し出し、チョッパーで裁断して造粒した。この造粒により４ｍｍ径で長さ１０ｍｍの粒子の造粒物が得られた。この造粒物の表面にコーティングするために、前記造粒物は、第一円形コーティング機上に送られた。
本例において、被覆材料、即ちコーティング材は、▲１▼  衛生材料製造業者から排出された紙粉を０．３ｍｍのスクリーン目を通して粉砕した紙粉６０重量部、▲２▼三菱化学株式会社製の高吸水性樹脂を４０μｍ以下に粉砕した高吸水性樹脂２０重量部及び▲３▼  ハイモ株式会社製の高吸水性樹脂（商品名ＨＳ−１１００ハイモサブ）を４０μｍ以下に粉砕した高吸水性樹脂２０重量部を混合して調製された。
第一円形コーティング機上で、前記造粒物を芯材とし、該芯材の造粒物に対して、被覆材料、即ちコーティング材が１７重量％となるように、コーティング材を撒布して、コーティングした。第一円形コーティング機上でコーティング材が撒布されてコーティングされた被覆造粒物は、第二及び第三コーティング機上で、造粒物粒子を転動させて、コーティング材を造粒物粒子に付着させる。このようにコーティングされた被覆造粒物は、上段に１０ｍｍ開口の篩、下段に４ｍｍ開口の篩を備える円形振動篩装置で、比較的大きい粒子と細かい粒子を篩分けて分離し、熱風乾燥機で水分が１０％以下になるまで乾燥し、主として、直径４．２ｍｍ、長さ１０ｍｍのペレットを得た。このペレットを集めて、猫のトイレ用の砂とした。
室内において、本例で作製された猫のトイレ用の砂に３５℃の温度の２０倍に希釈したアンモニア水５０ｍを加えたが、非常に吸水性及び脱臭性が良好であり、室内にアンモニア臭を感じなかった。
またこの猫のトイレ用の砂を猫のトイレに厚さ３ｃｍに敷いて使用したが、猫は普段と同様にトイレとして使用しており、使用の上で何等支障がなかった。
猫が排泄に使用後、この猫のトイレ用の砂の、猫が排泄した部分についてはよく固まっており、スコップで簡単且つ容易に取り出すことができた。
【００７４】
例４．
水耕栽培業者から排出されたかいわれ大根の不適格品を湿式粉砕機（株式会社ホーライ社製）で、スクリーン目５ｍｍを通して粉砕し、この粉砕された５ｍｍ以下の粒度の含水率９０重量％のかいわれ大根粉砕物６５重量部、鉄道の使用済みの切符や使用済みの航空券を乾式粉砕機（株式会社ホーライ社製）で、スクリーン目２ｍｍを通して粉砕し、この粉砕された２ｍｍ以下の粒度の切符や航空券の粉砕物６５重量部をリボンミキサーで混合し、この混合物に、Ｔ−α澱粉（商品名）（松谷化学工業株式会社製）４重量部を混合して、含水率約４４重量％として、株式会社平賀工作所製のミートチョッパーの押出部に入れて、直径４ｍｍの開口、厚さ２５ｍｍのダイスから押し出し、チョッパーで裁断して造粒した。この造粒により４ｍｍ径で長さ１０ｍｍの粒子の造粒物が得られた。この造粒物の表面にコーティングするために、前記造粒物は、第一円形コーティング機上に送られた。
本例において、被覆材料、即ちコーティング材は、▲１▼  衛生材料製造業者から排出された紙粉を０．３ｍｍのスクリーン目を通して粉砕した紙粉６０重量部、▲２▼  三菱化学株式会社製の高吸水性樹脂を４０μｍ以下に粉砕した高吸水性樹脂２０重量部、▲３▼  ハイモ株式会社製の高吸水性樹脂（商品名ＨＳ−１１００ハイモサブ）を４０μｍ以下に粉砕した高吸水性樹脂１７重量部及び▲４▼  消臭及び抗菌剤のセルロースに銅を化学結合したクリーンスカイ（商品名、株式会社興人製）３重量部を混合して調製された。
第一円形コーティング機上で、前記造粒物を芯材とし、該芯材の造粒物に対して、コーティング材が１７重量％となるように、コーティング材を撒布して、コーティングした。第一円形コーティング機上でコーティング材が撒布されてコーティングされた被覆造粒物は、第二及び第三コーティング機上で、造粒物粒子を転動させて、コーティング材を造粒物粒子に付着させる。このようにコーティングされた被覆造粒物は、上段に１０ｍｍ開口の篩、下段に４ｍｍ開口の篩を備える円形振動篩装置で、比較的大きい粒子と細かい粒子を篩分けて分離し、熱風乾燥機で水分が１０％以下になるまで乾燥し、主として、直径４．２ｍｍ、長さ１０ｍｍのペレットを得た。このペレットを集めて、猫のトイレ用の砂とした。
室内において、本例で作製された猫のトイレ用の砂に３５℃の温度の２０倍に希釈したアンモニア水５０ｍを加えたが、非常に吸水性及び脱臭性が良好であり、室内にアンモニア臭を感じなかった。
またこの猫のトイレ用の砂を猫のトイレに厚さ３ｃｍに敷いて使用したが、猫は普段と同様にトイレとして使用しており、使用の上で何等支障がなかった。
猫が排泄に使用後、この猫のトイレ用の砂の、猫が排泄した部分についてはよく固まっており、スコップで簡単且つ容易に取り出すことができた。
【００７５】
例５．
業者から排出されたもやしの不適格品を湿式粉砕機（株式会社ホーライ社製）で、スクリーン目４ｍｍを通して粉砕し、この粉砕された４ｍｍ以下の粒度の含水率９０重量％のもやし粉砕物６５重量部、紙おむつ製造業者から回収した紙おむつの不良品の粉砕物から分級処理により綿状パルプ成分及び高吸水性樹脂成分を分離したプラスチック成分に富む所謂紙おむつ分級残渣（俗称：ポリカス）を乾式粉砕機（株式会社ホーライ社製）で、スクリーン目３ｍｍを通して粉砕し、この粉砕された３ｍｍ以下の粒度の紙おむつ分級残渣の粉砕物６５重量部をリボンミキサーで混合して、含水率約４５重量％として、株式会社平賀工作所製のミートチョッパーの押出部に入れて、直径４ｍｍの開口、厚さ２５ｍｍのダイスから押し出し、チョッパーで裁断して造粒した。この造粒により４ｍｍ径で長さ１０ｍｍの粒子の造粒物が得られた。この造粒物の表面にコーティングするために、前記造粒物は、第一円形コーティング機上に送られた。
本例において、被覆材料、即ちコーティング材は、▲１▼  紙おむつ製造業者から回収した紙おむつの不良品の粉砕物から分級処理により分離会市有された綿状パルプ成分を０．３ｍｍのスクリーン目を通して粉砕した綿状パルプ粉砕物５５重量部、▲２▼  三菱化学株式会社製の高吸水性樹脂を４０μｍ以下に粉砕した高吸水性樹脂２３重量部、▲３▼  Ｔ−α澱粉（商品名）（松谷化学工業株式会社製）１７重量部及び▲４▼  デキストリン（松谷化学工業株式会社製）５重量部を混合して調製された。
第一円形コーティング機上で、前記造粒物を芯材とし、該芯材の造粒物に対して、コーティング材が１７重量％となるように、コーティング材を撒布して、コーティングした。第一円形コーティング機上でコーティング材が撒布されてコーティングされた被覆造粒物は、第二及び第三コーティング機上で、造粒物粒子を転動させて、コーティング材を造粒物粒子に付着させる。このようにコーティングされた被覆造粒物は、上段に１０ｍｍ開口の篩、下段に４ｍｍ開口の篩を備える円形振動篩装置で、比較的大きい粒子と細かい粒子を篩分けて分離し、熱風乾燥機で水分が１０％以下になるまで乾燥し、主として、直径４．２ｍｍ、長さ１０ｍｍのペレットを得た。このペレットを集めて、猫のトイレ用の砂とした。
室内において、本例で作製された猫のトイレ用の砂に３５℃の温度の２０倍に希釈したアンモニア水５０ｍを加えたが、非常に吸水性及び脱臭性が良好であり、室内にアンモニア臭を感じなかった。
またこの猫のトイレ用の砂を猫のトイレに厚さ３ｃｍに敷いて使用したが、猫は普段と同様にトイレとして使用しており、使用の上で何等支障がなかった。
猫が排泄に使用後、この猫のトイレ用の砂の、猫が排泄した部分についてはよく固まっており、スコップで簡単且つ容易に取り出すことができた。
【００７６】
本例においては、コーティング材にデキストリンが使用されている。デキストリンは、水分が少なくても粘性が強いので、製品において、表面からコーティング材の剥離を防止できる。デキストリンの使用は、袋詰めされた排泄物処理材からのコーティング材の剥離が少なくなるので好ましい。
【００７７】
例６．
青果市場から排出されたキャベツの表皮を湿式粉砕機（株式会社ホーライ社製）で、スクリーン目７ｍｍを通して粉砕し、この粉砕された７ｍｍ以下の粒度の含水率８０重量％のキャベツの表皮粉砕物７０重量部、チタン紙等の無機繊維紙廃材を乾式粉砕機（株式会社ホーライ社製）で、スクリーン目３ｍｍを通して粉砕し、この粉砕された３ｍｍ以下の粒度の無機繊維紙の粉砕物６０重量部をリボンミキサーで混合し、この混合物に、アクリルアミド（ダイヤフロック株式会社製）３重量部を混合して、含水率約４２重量％として、株式会社平賀工作所製のミートチョッパーの押出部に入れて、直径４ｍｍの開口、厚さ２５ｍｍのダイスから押し出し、チョッパーで裁断して造粒した。この造粒により４ｍｍ径で長さ１０ｍｍの粒子の造粒物が得られた。この造粒物の表面にコーティングするために、前記造粒物は、第一円形コーティング機上に送られた。
本例において、被覆材料、即ちコーティング材は、▲１▼  衛生材料製造業者から排出された紙粉を０．３ｍｍのスクリーン目を通して粉砕した紙粉６０重量部、▲２▼  三菱化学株式会社製の高吸水性樹脂を４０μｍ以下に粉砕した高吸水性樹脂１６重量部、▲３▼  ハイモ株式会社製の高吸水性樹脂（商品名ＨＳ−１１００ハイモサブ）を４０μｍ以下に粉砕した高吸水性樹脂２０重量部、▲４▼  アクリルアミド（ダイヤフロック株式会社製）の４０μｍ以下に粉砕した粉砕物２重量部及び▲５▼  消臭及び抗菌剤のセルロースに銅を化学結合したクリーンスカイ（商品名、株式会社興人製）２重量部を混合して調製された。
第一円形コーティング機上で、前記造粒物を芯材とし、該芯材の造粒物に対して、コーティング材が１７重量％となるように、コーティング材を撒布して、コーティングした。第一円形コーティング機上でコーティング材が撒布されてコーティングされた被覆造粒物は、第二及び第三コーティング機上で、造粒物粒子を転動させて、コーティング材を造粒物粒子に付着させる。このようにコーティングされた被覆造粒物は、上段に１０ｍｍ開口の篩、下段に４ｍｍ開口の篩を備える円形振動篩装置で、比較的大きい粒子と細かい粒子を篩分けて分離し、熱風乾燥機で水分が１０％以下になるまで乾燥し、主として、直径４．２ｍｍ、長さ１０ｍｍのペレットを得た。このペレットを集めて、猫のトイレ用の砂とした。
室内において、本例で作製された猫のトイレ用の砂に３５℃の温度の２０倍に希釈したアンモニア水５０ｍを加えたが、非常に吸水性及び脱臭性が良好であり、室内にアンモニア臭を感じなかった。
またこの猫のトイレ用の砂を猫のトイレに厚さ３ｃｍに敷いて使用したが、猫は普段と同様にトイレとして使用しており、使用の上で何等支障がなかった。
猫が排泄に使用後、この猫のトイレ用の砂の、猫が排泄した部分についてはよく固まっており、スコップで簡単且つ容易に取り出すことができた。
【００７８】
【発明の効果】
本発明は、５ｍｍ以下の粒度の野菜屑粉砕乾燥物を含有し、また該５ｍｍ以下の粒度の野菜屑粉砕乾燥物より少ない量で吸水性樹脂を含有して、１ミリメートル以上の粒度を有する乾燥造粒物により粒状の排泄物処理材とするので、その儘廃棄物として処理されていた野菜屑粉砕物を有効利用することができることとなり、また原料として使用される野菜屑粉砕物は、排泄物処理材の製造過程で水分が減少されて、使用後においても焼却処理が可能であり、野菜屑粉砕物の処理が容易となる。
【００７９】
また本発明は、５ｍｍ以下の粒度の野菜屑粉砕乾燥物及び５ｍｍ以下の粒度の廃棄物配合材料粉砕物を含有し、また５ｍｍ以下の粒度の野菜屑粉砕乾燥物より夫々少ない量で吸水性樹脂、殺菌作用を有する物質、脱臭剤、着色物質若しくは接着剤、又は吸水性樹脂、殺菌作用を有する物質、脱臭剤、着色物質及び接着剤の中の二種以上、即ち添加物質を含有して、１ミリメートル以上の粒度を有する芯部と、紙粉及び吸水性樹脂を含有して、前記芯部の表面の少なくともその一部を被覆する被覆部を有する乾燥被覆粒状物である粒状の排泄物処理材とするので、原料として野菜屑粉砕物を使用しても、使用場所の色調に合わせて、種々の色調、即ち適宜の色彩の排泄物処理材を選ぶことが可能となり、衛生的な雰囲気はもとより、室内の色彩の調和を保つことができる。しかも、適宜の発色指示薬を排泄物処理材の表面に塗布できるので、安価な検尿用指示薬を提供でき、人及び動物の健康状態を把握することが容易となる。
【００８０】
本発明は、従来、廃物とされて、その処理が問題とされていた野菜屑粉砕物を、排泄物処理材として有効に利用するものであり、しかも、廃プラスチック材料を混合することにより、保水性を高めると共に、発熱量を増加して、使用後においても、燃焼可能であり、野菜屑粉砕物を有効に使用することができる。
【図面の簡単な説明】
【図１】本発明の一実施例の粒状の排泄物処理材を製造する工程を示す概略の平面図である。
【図２】本発明の他の一実施例の粒状の排泄物処理材を製造する工程を示す概略の平面図である
【符号の説明】
１  野菜屑粉砕物供給用の計量ホッパー
２、４  ベルトコンベヤ装置
３  紙おむつ分級残渣供給用の計量ホッパー
５  野菜屑粉砕物供給用のベルトコンベヤ装置２の搬送出口
６  紙おむつ分級残渣供給用のベルトコンベヤ装置４の搬送出口
７  第一混合用ベルトコンベヤ装置
８  第一混合用ベルトコンベヤ装置７の搬送出口
９  混合用ホッパー
１０  混合用ホッパー９の供給口
１１  第二混合用ベルトコンベヤ装置
１２  スクリュー押出し式造粒装置
１３  造粒装置１２の混合装置
１４  造粒装置１２のダイス
１５  円形篩
１６  造粒物搬送用のベルトコンベヤ装置
１７  造粒物供給口
１８  篩上出口
１９  篩上粒子搬送用のベルトコンベヤ装置
２０  篩上粒子搬送用のベルトコンベヤ装置１９の搬出端
２１  振動型整粒機
２２  篩下出口
２３  篩下粒子搬送用のベルトコンベヤ装置
２４  篩下粒子搬送用のベルトコンベヤ装置の搬出端
２５  目の開きが４ｍｍ以下の篩
２６  搬出端
２７  篩下搬送用ベルトコンベヤ装置
２８  篩上出口
２９  篩上搬送用のベルトコンベヤ装置
３０  篩上搬送用のベルトコンベヤ装置２９の出口
３１  振動型の第一の造粒物被覆装置
３２  第一の造粒物被覆装置３１の供給装置
３３  ０．３ｍｍの粒度の紙粉及び高吸水性樹脂の混合物の被覆材料供給ホッパー
３４  紙粉及び高吸水性樹脂の混合物の供給路
３５  第二の造粒物被覆装置
３６  第三の造粒物被覆装置
３７  第一の造粒物被覆装置３１の排出路
３８  第二の造粒物被覆装置３５の排出路
３９  水の噴霧装置
４０  第三の造粒物被覆装置３６の排出路
４１  被覆造粒物搬送用のベルトコンベヤ装置
４２  被覆造粒物搬送用のベルトコンベヤ装置３７が接続する乾燥機
４３  乾燥物出口
４４  乾燥被覆造粒物搬送用のベルトコンベヤ装置
４５  乾燥被覆造粒物収容タンク
４６  乾燥被覆造粒物収容タンク４５の入り口部
４７  排気部
４８  乾燥被覆造粒物搬出用シュート
４９  乾燥被覆造粒物搬出用ベルトコンベヤ装置
５０  円形振動篩装置
５１  製品搬出用のベルトコンベヤ装置
５２  自動包装装置
【図１】
0003638534.tif 000002
【図２】
0003638534.tif 000003